(57)【特許請求の範囲】
【請求項１】
複数のリモート局装置と１つの基地局装置とが共通媒体を共有して接続され、前記リモート局装置から前記基地局装置へとデータフレームを転送し、前記基地局装置から前記リモート局装置へと前記データフレームを転送する一対多共通媒体接続通信システムのデータ転送方法であって、
前記基地局装置が、前記リモート局装置に前記データフレームの送信を許可する送信許可期間を割り当て、前記送信許可期間の開始時刻前に前記複数のリモート局装置全てに前記データフレームの送信を停止するための送信停止制御フレームを送信し、前記送信許可期間の開始時刻において、前記データフレームの送信を許可する特定の前記リモート局装置に前記データフレームの送信の停止を解除するための送信許可制御フレームを送信することを特徴とするデータ転送方法。
【請求項２】
前記基地局装置が前記送信停止制御フレームを送信する際に、前記複数のリモート局装置全てに前記送信停止制御フレームを同報するようにしたことを特徴とする請求項１記載のデータ転送方法。
【請求項３】
前記基地局装置が前記送信停止制御フレームを送信する際に、前記複数のリモート局装置全てに前記送信停止制御フレームを個別に送信するようにしたことを特徴とする請求項１記載のデータ転送方法。
【請求項４】
前記基地局装置が前記送信停止制御フレームを送信する際に、前記データフレームの送信停止が解除されている前記リモート局装置に前記送信停止制御フレームを個別に送信するようにしたことを特徴とする請求項１記載のデータ転送方法。
【請求項５】
前記基地局装置が前記送信停止制御フレームを送信する際に、前記データフレームの送信停止が解除されている前記リモート局装置に前記送信停止制御フレームを個別に送信し、前記複数のリモート局装置全てに周期的に
前記送信停止制御フレームを同報及び個別のうちのいずれかで送信するようにしたことを特徴とする請求項１記載のデータ転送方法。
【請求項６】
前記基地局装置が、前記リモート局装置各々に対して前記送信許可期間を割り当てる際に、予め決められた方針に基づいて固定的に割り当てるようにしたことを特徴とする請求項１から請求項５のいずれか記載のデータ転送方法。
【請求項７】
前記基地局装置が、前記リモート局装置各々に対して前記送信許可期間を割り当てる際に、前記基地局装置で測定した前記リモート局装置の前記データフレームの送出状況に応じて動的に割り当てるようにしたことを特徴とする請求項１から請求項５のいずれか記載のデータ転送方法。
【請求項８】
前記基地局装置が、前記リモート局装置各々に対して前記送信許可期間を割り当てる際に、前記リモート局装置からの要求に応じて動的に割り当てるようにしたことを特徴とする請求項１から請求項５のいずれか記載のデータ転送方法。
【請求項９】
複数のリモート局装置と１つの基地局装置とが共通媒体を共有して接続され、前記リモート局装置から前記基地局装置へとデータフレームを転送し、前記基地局装置から前記リモート局装置へと前記データフレームを転送する一対多共通媒体接続通信システムのデータ転送方法であって、
前記リモート局装置から前記基地局装置への前記データフレームの送信を制御するために前記基地局装置から前記複数のリモート局装置全てに対して送信される制御フレームが、前記データフレームの送信を停止する期間を少なくとも含む制御領域群と、フレーム長が最低長以上になるように長さ調整をするフレーム長調整部と、前記各部からなる前記制御フレームのエラーチェックを行うためのエラー検出部とから構成されるようにしたことを特徴とするデータ転送方法。
【請求項１０】
前記制御領域群は、前記制御フレームの送信先である前記リモート局装置の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及びフレーム送信を停止する期間を記述する送信停止期間記述部とからなることを特徴とする請求項９記載のデータ転送方法。
【請求項１１】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の物理アドレスを記述する個別送信先アドレス部及びフレーム送信を停止する期間を記述する送信停止期間記述部とからなることを特徴とする請求項９記載のデータ転送方法。
【請求項１２】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の識別子を記述する個別送信先アドレス部及びフレーム送信を停止する期間を記述する送信停止期間記述部とからなることを特徴とする請求項９記載のデータ転送方法。
【請求項１３】
前記制御領域群は、前記制御フレームの送信先である前記リモート局装置の物理アドレスを記述する送信先アドレス部と、前記制御フレームの送信元である前記基地局装置の物理アドレスを記述する送信元アドレス部と、フレームの種類を記述するフレーム種別部と、前記制御フレームによって指示されるフレーム送出停止が終了した後に前記リモート局装置が送信するフレームの種類を示す識別子を記述するフレーム属性部及びフレーム送信を停止する期間を記述する送信停止期間記述部からなることを特徴とする請求項９記載のデータ転送方法。
【請求項１４】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記制御フレームによって指示されるフレーム送出停止が終了した後に前記リモート局装置が送信するフレームの種類を示す識別子を記述するフレーム属性部及び前記制御フレームの送信先であるリモート局装置の物理アドレスを記述する個別送信先アドレス部及びフレーム送信を停止する期間を記述する送信停止期間記述部とからなることを特徴とする請求項９記載のデータ転送方法。
【請求項１５】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記制御フレームによって指示されるフレーム送出停止が終了した後に前記リモート局装置が送信するフレームの種類を示す識別子を記述するフレーム属性部及び前記制御フレームの送信先である前記リモート局装置の識別子を記述する個別送信先アドレス部及びフレーム送信を停止する期間を記述する送信停止期間記述部とからなることを特徴とする請求項９記載のデータ転送方法。
【請求項１６】
前記制御領域群は、前記制御フレームの送信先である前記リモート局装置の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームによって指示されるフレーム送出停止が終了した後に前記リモート局装置が送信するフレームの種類を示す識別子を記述するフレーム識別子部及びフレーム送信を停止する期間を記述する送信停止期間記述部とからなることを特徴とする請求項９記載のデータ転送方法。
【請求項１７】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の物理アドレスを記述する個別送信先アドレス部及び前記制御フレームによって指示されるフレーム送出停止が終了した後に前記リモート局装置が送信するフレームの種類を示す識別子を記述するフレーム識別子部及びフレーム送信を停止する期間を記述する送信停止期間記述部とからなることを特徴とする請求項９記載のデータ転送方法。
【請求項１８】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の識別子を記述する個別送信先アドレス部及び前記制御フレームによって指示されるフレーム送出停止が終了した後に前記リモート局装置が送信するフレームの種類を示す識別子を記述するフレーム識別子部及びフレーム送信を停止する期間を記述する送信停止期間記述部とからなることを特徴とする請求項９記載のデータ転送方法。
【請求項１９】
前記制御領域群は、前記制御フレームの送信先である前記リモート局装置の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び一度目のフレーム送信を停止する期間を記述する第一送信停止期間記述部及び前記制御フレームを受信してから二度目のフレーム送信の停止を開始するまでの経過時間を記述する経過時間記述部及び二度目のフレーム送信を停止する期間を記述する第二送信停止期間記述部とからなることを特徴とする請求項９記載のデータ転送方法。
【請求項２０】
前記制御領域群は、前記制御フレームの送信先である前記リモート局装置の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなることを特徴とする請求項９記載のデータ転送方法。
【請求項２１】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の物理アドレスを記述する個別送信先アドレス部及び一度目のフレーム送信を停止する期間を記述する第一送信停止期間記述部及び前記制御フレームを受信してから二度目のフレーム送信の停止を開始するまでの経過時間を記述する経過時間記述部及び二度目のフレーム送信を停止する期間を記述する第二送信停止期間記述部とからなることを特徴とする請求項９記載のデータ転送方法。
【請求項２２】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の物理アドレスを記述する個別送信先アドレス部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなることを特徴とする請求項９記載のデータ転送方法。
【請求項２３】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の識別子を記述する個別送信先アドレス部及び一度目のフレーム送信を停止する期間を記述する第一送信停止期間記述部及び前記制御フレームを受信してから二度目のフレーム送信の停止を開始するまでの経過時間を記述する経過時間記述部及び二度目のフレーム送信を停止する期間を記述する第二送信停止期間記述部とからなることを特徴とする請求項９記載のデータ転送方法。
【請求項２４】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の識別子を記述する個別送信先アドレス部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなることを特徴とする請求項９記載のデータ転送方法。
【請求項２５】
前記制御領域群は、前記制御フレームの送信先である前記リモート局装置の物理アドレスを記述する送信先アドレス部と、前記制御フレームの送信元である前記基地局装置の物理アドレスを記述する送信元アドレス部と、フレームの種類を記述するフレーム種別部と、前記制御フレームによって指示されるフレーム送出停止が終了した後に前記リモート局装置が送信するフレームの種類を示す識別子を記述するフレーム属性部及び一度目のフレーム送信を停止する期間を記述する第一送信停止期間記述部及び前記制御フレームを受信してから二度目のフレーム送信の停止を開始するまでの経過時間を記述する経過時間記述部及び二度目のフレーム送信を停止する期間を記述する第二送信停止期間記述部とからなることを特徴とする請求項９記載のデータ転送方法。
【請求項２６】
前記制御領域群は、前記制御フレームの送信先である前記リモート局装置の物理アドレスを記述する送信先アドレス部と、前記制御フレームの送信元である前記基地局装置の物理アドレスを記述する送信元アドレス部と、フレームの種類を記述するフレーム種別部と、前記制御フレームによって指示されるフレーム送出停止が終了した後に前記リモート局装置が送信するフレームの種類を示す識別子を記述するフレーム属性部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなることを特徴とする請求項９記載のデータ転送方法。
【請求項２７】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記制御フレームによって指示されるフレーム送出停止が終了した後に前記リモート局装置が送信するフレームの種類を示す識別子を記述するフレーム属性部及び前記制御フレームの送信先である前記リモート局装置の物理アドレスを記述する個別送信先アドレス部及び一度目のフレーム送信を停止する期間を記述する第一送信停止期間記述部及び前記制御フレームを受信してから二度目のフレーム送信の停止を開始するまでの経過時間を記述する経過時間記述部及び二度目のフレーム送信を停止する期間を記述する第二送信停止期間記述部とからなることを特徴とする請求項９記載のデータ転送方法。
【請求項２８】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記制御フレームによって指示されるフレーム送出停止が終了した後に前記リモート局装置が送信するフレームの種類を示す識別子を記述するフレーム属性部及び前記制御フレームの送信先である前記リモート局装置の物理アドレスを記述する個別送信先アドレス部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなることを特徴とする請求項９記載のデータ転送方法。
【請求項２９】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記制御フレームによって指示されるフレーム送出停止が終了した後に前記リモート局装置が送信するフレームの種類を示す識別子を記述するフレーム属性部及び前記制御フレームの送信先である前記リモート局装置の識別子を記述する個別送信先アドレス部と、一度目のフレーム送信を停止する期間を記述する第一送信停止期間記述部及び前記制御フレームを受信してから二度目のフレーム送信の停止を開始するまでの経過時間を記述する経過時間記述部及び二度目のフレーム送信を停止する期間を記述する第二送信停止期間記述部とからなることを特徴とする請求項９記載のデータ転送方法。
【請求項３０】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記制御フレームによって指示されるフレーム送出停止が終了した後に前記リモート局装置が送信するフレームの種類を示す識別子を記述するフレーム属性部及び前記制御フレームの送信先である前記リモート局装置の識別子を記述する個別送信先アドレス部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなることを特徴とする請求項９記載のデータ転送方法。
【請求項３１】
前記制御領域群は、前記制御フレームの送信先である前記リモート局装置の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームによって指示されるフレーム送出停止が終了した後に、前記リモート局装置が送信するフレームの種類を示す識別子を記述するフレーム識別子部及び一度目のフレーム送信を停止する期間を記述する第一送信停止期間記述部及び前記制御フレームを受信してから二度目のフレーム送信の停止を開始するまでの経過時間を記述する経過時間記述部及び二度目のフレーム送信を停止する期間を記述する第二送信停止期間記述部とからなることを特徴とする請求項９記載のデータ転送方法。
【請求項３２】
前記制御領域群は、前記制御フレームの送信先である前記リモート局装置の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームによって指示されるフレーム送出停止が終了した後に、前記リモート局装置が送信するフレームの種類を示す識別子を記述するフレーム識別子部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなることを特徴とする請求項９記載のデータ転送方法。
【請求項３３】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の物理アドレスを記述する個別送信先アドレス部及び前記制御フレームによって指示されるフレーム送出停止が終了した後に、前記リモート局装置が送信するフレームの種類を示す識別子を記述するフレーム識別子部及び一度目のフレーム送信を停止する期間を記述する第一送信停止期間記述部及び前記制御フレームを受信してから二度目のフレーム送信の停止を開始するまでの経過時間を記述する経過時間記述部及び二度目のフレーム送信を停止する期間を記述する第二送信停止期間記述部とからなることを特徴とする請求項９記載のデータ転送方法。
【請求項３４】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の物理アドレスを記述する個別送信先アドレス部及び前記制御フレームによって指示されるフレーム送出停止が終了した後に、前記リモート局装置が送信するフレームの種類を示す識別子を記述するフレーム識別子部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなることを特徴とする請求項９記載のデータ転送方法。
【請求項３５】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の識別子を記述する個別送信先アドレス部及び前記制御フレームによって指示されるフレーム送出停止が終了した後に、前記リモート局装置が送信するフレームの種類を示す識別子を記述するフレーム識別子部及び一度目のフレーム送信を停止する期間を記述する第一送信停止期間記述部及び前記制御フレームを受信してから二度目のフレーム送信の停止を開始するまでの経過時間を記述する経過時間記述部及び二度目のフレーム送信を停止する期間を記述する第二送信停止期間記述部とからなることを特徴とする請求項９記載のデータ転送方法。
【請求項３６】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の識別子を記述する個別送信先アドレス部及び前記制御フレームによって指示されるフレーム送出停止が終了した後に、前記リモート局装置が送信するフレームの種類を示す識別子を記述するフレーム識別子部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなることを特徴とする請求項９記載のデータ転送方法。
【請求項３７】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の物理アドレスを記述する個別送信先アドレス部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなり、
前記制御領域群を複数個連続して配置するようにしたことを特徴とする請求項９記載のデータ転送方法。
【請求項３８】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の物理アドレスを記述する個別送信先アドレス部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなり、
前記制御領域群を複数個連続して配置し、一番目の前記制御領域群に限り前記第一経過時間記述部を省略するようにしたことを特徴とする請求項９記載のデータ転送方法。
【請求項３９】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の識別子を記述する個別送信先アドレス部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなり、
前記制御領域群を複数個連続して配置するようにしたことを特徴とする請求項９記載のデータ転送方法。
【請求項４０】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の識別子を記述する個別送信先アドレス部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなり、
前記制御領域群を複数個連続して配置し、一番目の前記制御領域群に限り前記第一経過時間記述部を省略するようにしたことを特徴とする請求項９記載のデータ転送方法。
【請求項４１】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記制御フレームによって指示されるフレーム送出停止が終了した後に前記リモート局装置が送信するフレームの種類を示す識別子を記述するフレーム属性部及び前記制御フレームの送信先である前記リモート局装置の物理アドレスを記述する個別送信先アドレス部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなり、
前記制御領域群を複数個連続して配置するようにしたことを特徴とする請求項９記載のデータ転送方法。
【請求項４２】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記制御フレームによって指示されるフレーム送出停止が終了した後に前記リモート局装置が送信するフレームの種類を示す識別子を記述するフレーム属性部及び前記制御フレームの送信先である前記リモート局装置の物理アドレスを記述する個別送信先アドレス部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなり、
前記制御領域群を複数個連続して配置し、一番目の前記制御領域群に限り前記第一経過時間記述部を省略するようにしたことを特徴とする請求項９記載のデータ転送方法。
【請求項４３】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記制御フレームによって指示されるフレーム送出停止が終了した後に前記リモート局装置が送信するフレームの種類を示す識別子を記述するフレーム属性部及び前記制御フレームの送信先である前記リモート局装置の識別子を記述する個別送信先アドレス部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなり、
前記制御領域群を複数個連続して配置するようにしたことを特徴とする請求項９記載のデータ転送方法。
【請求項４４】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記制御フレームによって指示されるフレーム送出停止が終了した後に前記リモート局装置が送信するフレームの種類を示す識別子を記述するフレーム属性部及び前記制御フレームの送信先である前記リモート局装置の識別子を記述する個別送信先アドレス部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなり、
前記制御領域群を複数個連続して配置し、一番目の前記制御領域群に限り前記第一経過時間記述部を省略するようにしたことを特徴とする請求項９記載のデータ転送方法。
【請求項４５】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の物理アドレスを記述する個別送信先アドレス部及び前記制御フレームによって指示されるフレーム送出停止が終了した後に、前記リモート局装置が送信するフレームの種類を示す識別子を記述するフレーム識別子部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなり、
前記制御領域群を複数個連続して配置するようにしたことを特徴とする請求項９記載のデータ転送方法。
【請求項４６】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の物理アドレスを記述する個別送信先アドレス部及び前記制御フレームによって指示されるフレーム送出停止が終了した後に、前記リモート局装置が送信するフレームの種類を示す識別子を記述するフレーム識別子部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなり、
前記制御領域群を複数個連続して配置し、一番目の前記制御領域群に限り前記第一経過時間記述部を省略するようにしたことを特徴とする請求項９記載のデータ転送方法。
【請求項４７】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の識別子を記述する個別送信先アドレス部及び前記制御フレームによって指示されるフレーム送出停止が終了した後に、前記リモート局装置が送信するフレームの種類を示す識別子を記述するフレーム識別子部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなり、
前記制御領域群を複数個連続して配置するようにしたことを特徴とする請求項９記載のデータ転送方法。
【請求項４８】
前記制御領域群は、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、前記フレーム種別部に記載されるフレーム種類の中の属性を記述するフレーム属性部及び前記制御フレームの送信先である前記リモート局装置の識別子を記述する個別送信先アドレス部及び前記制御フレームによって指示されるフレーム送出停止が終了した後に、前記リモート局装置が送信するフレームの種類を示す識別子を記述するフレーム識別子部及び前記制御フレームを受信してから一度目のフレーム送信の停止を開始するまでの経過時間を記述する第一経過時間記述部及び一度目のフレーム送信を停止する期間を記述する第一送信停止期間記述部及び前記制御フレームを受信してから二度目のフレーム送信の停止を開始するまでの経過時間を記述する第二経過時間記述部及び二度目のフレーム送信を停止する期間を記述する第二送信停止期間記述部とからなり、
前記制御領域群を複数個連続して配置し、一番目の前記制御領域群に限り前記第一経過時間記述部を省略するようにしたことを特徴とする請求項９記載のデータ転送方法。
【請求項４９】
前記制御フレームが、前記送信先アドレス部と前記送信元アドレス部と前記フレーム種別部とに続いて配置されかつ前記制御フレームを受信してからフレーム内に記述されている全ての処理を実行開始するまでの経過時間を記述するフレーム処理経過時間記述部を含み、前記フレーム処理経過時間記述部に続いて前記制御領域群と前記フレーム長調整部と前記エラー検出部とを配置するようにしたことを特徴とする請求項１０から請求項４８のいずれか記載のデータ転送方法。
【請求項５０】
前記基地局装置から前記リモート局装置に対して送信される前記データフレームの内部に、前記リモート局装置から前記基地局装置への前記データフレームの送信を制御するための情報を格納するようにしたことを特徴とする請求項９から請求項４９のいずれか記載のデータ転送方法。
【請求項５１】
前記基地局装置から前記リモート局装置に対して送信される前記データフレームが、前記リモート局装置から前記基地局装置への前記データフレームの送信を制御するための情報を格納し、
前記データフレームが前記送信先アドレス部と前記送信元アドレス部とに続いて、当該データフレームが通常の前記データフレームと前記リモート局装置からのフレーム送出とを制御する制御フレームのハイブリッドモードであることを記す拡張データ種別部と、前記制御領域群と、通常の前記データフレームのペイロード部と、エラー検出部とを配置するようにしたことを特徴とする請求項１０から請求項４８のいずれか記載のデータ転送方法。
【請求項５２】
前記制御フレーム内の前記フレーム属性部において記述されるフレームの種類が、主信号フレームと、距離測定処理用のフレームと、リクエスト用のフレームと、登録処理用のフレームと、管理制御用のフレームと、その他の処理用に特別に用いられるフレームとのうちのいずれかであることを特徴とする請求項１０〜請求項１５、請求項１９〜請求項３０、請求項３７〜請求項４４のいずれか記載のデータ転送方法。
【請求項５３】
前記制御フレーム内の前記フレーム属性部及び前記フレーム識別子部のいずれかにおいて記述されるフレームの種類が、主信号フレームと、距離測定処理用のフレームと、リクエスト用のフレームと、登録処理用のフレームと、管理制御用のフレームと、その他の処理用に特別に用いられるフレームとのいずれかであることを特徴とする請求項１６〜請求項１８、請求項３１〜請求項３６、請求項４５〜請求項４８のいずれか記載のデータ転送方法。
【請求項５４】
前記データフレームが、イーサネット（Ｒ）フレームであることを特徴とする請求項１から請求項５１のいずれか記載のデータ転送方法。
【請求項５５】
複数のリモート局装置と１つの基地局装置とが共通媒体を共有して接続され、前記リモート局装置から前記基地局装置へとデータフレームを転送し、前記基地局装置から前記リモート局装置へと前記データフレームを転送する一対多共通媒体接続通信システムであって、
前記リモート局装置に前記データフレームの送信を許可する送信許可期間を割り当て、前記送信許可期間の開始時刻前に前記複数のリモート局装置全てに前記データフレームの送信を停止するための送信停止制御フレームを送信する手段と、前記送信許可期間の開始時刻において、前記データフレームの送信を許可する特定の前記リモート局装置に前記データフレームの送信の停止を解除するための送信許可制御フレームを送信する手段とを前記基地局装置に有することを特徴とする一対多共通媒体接続通信システム。
【請求項５６】
複数のリモート局装置に共通媒体を共有して接続され、前記リモート局装置から自装置へと転送されるデータフレームを受信し、自装置から前記リモート局装置へと前記データフレームを転送する基地局装置であって、
前記リモート局装置に前記データフレームの送信を許可する送信許可期間を割り当て、前記送信許可期間の開始時刻前に前記複数のリモート局装置全てに前記データフレームの送信を停止するための送信停止制御フレームを送信する手段と、前記送信許可期間の開始時刻において、前記データフレームの送信を許可する特定の前記リモート局装置に前記データフレームの送信の停止を解除するための送信許可制御フレームを送信する手段とを有することを特徴とする基地局装置。
【請求項５７】
基地局装置に共通媒体を共有して接続され、自装置から前記基地局装置へとデータフレームを転送し、前記基地局装置から自装置へと転送される前記データフレームを受信するリモート局装置であって、
前記基地局装置から割り当てられかつ自装置に前記データフレームの送信を許可する送信許可期間を含む送信停止制御フレームが前記基地局装置から複数のリモート局装置全てに送信される際にその送信停止制御フレームの受信時に前記送信許可期間の開始時刻前に前記データフレームの送信を停止する手段と、前記基地局装置から前記送信許可期間の開始時刻において前記データフレームの送信停止を解除するための送信許可制御フレームを受信した時に前記データフレームの送信停止を解除する手段とを有することを特徴とするリモート局装置。
【発明の詳細な説明】
【０００１】
【発明の属する技術分野】
本発明はデータ転送方法及び制御フレーム並びに一対多共通媒体型通信システム、基地局装置、リモート局装置に関し、特に一つの基地局装置に対して複数のリモート局装置が共通通信媒体を介して接続され、各リモート局装置から送出されるデータフレームの共通媒体上への送出制御技術に関する。
【０００２】
【従来の技術】
音声、画像やインターネット等のマルチメディア通信サービスの普及に伴い、ネットワークの高速化及び低コスト化への要求が高まっている。これらの要求は基幹網のみならず、加入者アクセス網においても進行しつつあり、これまではＬＡＮ（Ｌｏｃａｌ  Ａｒｅａ  Ｎｅｔｗｏｒｋ）用の技術として発展してきたイーサネット（Ｒ）技術の公衆網、特に加入者アクセス網への適用が進んでいる。
【０００３】
イーサネット（Ｒ）技術の加入者アクセス網への適用例としては、低コスト化が可能なポイント・トゥ・マルチポイントのＰＯＮ（Ｐａｓｓｉｖｅ  Ｏｐｔｉｃａｌ  Ｎｅｔｗｏｒｋ）構成の加入者アクセス網が注目されている。このイーサネット（Ｒ）ベースのＰＯＮシステムの概略構成を図２０に示す。以下、このＰＯＮシステムをＥＰＯＮ［Ｅｔｈｅｒｎｅｔ（Ｒ）−ＰＯＮ］システム２０とする。
【０００４】
ＥＰＯＮシステム２０はリモート局装置２１〜２３と、基地局装置２８と、パッシブ信号合流／分離器２７と、ファイバ２００〜２０３とから構成されている。リモート局装置２１〜２３にはそれぞれクライアント装置２４〜２６が接続されている。また、基地局装置２８にはローカルスイッチ２９が接続されている。リモート局装置２１〜２３とパッシブ信号合流／分離器２７とはそれぞれファイバ２００〜２０２で接続されている。パッシブ信号合流／分離器２７と基地局装置２８とはファイバ２０３で接続されている。
【０００５】
高速化への要求によって、ファイバ２００〜２０３にはファストイーサネット（Ｒ）（１００Ｍｂｐｓ）、ギガビットイーサネット（Ｒ）（１Ｇｂｐｓ）が用いられる場合が多く、到達距離の制限によって全二重モードが用いられる。このような構成を持つＥＰＯＮシステム２０は基地局装置２８の光インタフェースを複数のリモート局装置２１〜２３が共有することによって、低コスト化が可能である。
【０００６】
次に、ＥＰＯＮシステム２０のデータ転送方法について説明する。下り方向へのイーサネット（Ｒ）フレームの転送に関しては、基地局装置２８から全リモート局装置２１〜２３に対してブロードキャストされ、リモート局装置２１〜２３は自装置宛てのフレームのみを受信する。すなわち、基地局装置２８はローカルスイッチ２９からのフレームをファイバ２０３に転送する。
【０００７】
ファイバ２０３に転送されたフレームはパッシブ信号合流／分離器２７で分離され、ファイバ２００〜２０２を経由して、各々のリモート局装置２１〜２３にブロードキャストされる。ここで、フレームの宛先アドレスフィールドに記されたハードウェアアドレス［ＭＡＣ（Ｍｅｄｉａ  Ａｃｃｅｓｓ  Ｃｏｎｔｒｏｌ）アドレス］が例えばリモート局装置２１のＭＡＣアドレスである場合には、リモート局装置２１のみがそのフレームを受信することによってフレーム転送が完了する（その他のリモート局装置２２，２３はフレームを無視して破棄する）。
【０００８】
一方、上り方向へのイーサネット（Ｒ）フレームの転送に関しては、ＩＥＥＥ８０２．３の規定を参考にすると、以下のようになる。リモート局装置２１〜２３はクライアント装置２４〜２６からイーサネット（Ｒ）フレームを受信すると、ランダムなタイミングで基地局装置２８に対して受信したフレームをファイバ２００（またはファイバ２０１、あるいはファイバ２０２）上に転送する。
【０００９】
ファイバ２００（またはファイバ２０１、あるいはファイバ２０２）上に転送されたフレームはパッシブ信号合流／分離器２７を経由して、ファイバ２０３上を経て、基地局装置２８に到着する。基地局装置２８は受信したイーサネット（Ｒ）フレームをローカルスイッチ２９へ転送する。
【００１０】
【発明が解決しようとする課題】
上述した従来のＥＰＯＮシステムでは、上り方向のフレーム送出に関してスループットが低いという課題がある。すなわち、リモート局装置２１〜２３が上り方向にフレームを送出する際に、ランダムなタイミングでフレームを送出すると、複数のリモート局装置２１〜２３からのフレームが合流するパッシブ信号合流／分離器２７及びファイバ２０３上においてフレーム衝突する可能性がある。
【００１１】
フレームが衝突すると、基地局装置２８には正常なデータが到着しないため、上り方向のスループットが低下する。そのスループットはおよそ１８％という低い値となる。
【００１２】
そこで、本発明の目的は上記の問題点を解消し、各リモート局装置から送出されるフレームが共有する伝送路上で衝突することなく、そのフレームを基地局装置に転送することができるデータ転送方法及び制御フレーム並びに一対多共通媒体型通信システム、基地局装置、リモート局装置を提供することにある。
【００１３】
【課題を解決するための手段】
本発明によるデータ転送方法は、複数のリモート局装置と１つの基地局装置とが共通媒体を共有して接続され、前記リモート局装置から前記基地局装置へとデータフレームを転送し、前記基地局装置から前記リモート局装置へと前記データフレームを転送する一対多共通媒体接続通信システムのデータ転送方法であって、
前記基地局装置が、前記リモート局装置に前記データフレームの送信を許可する送信許可期間を割り当て、前記送信許可期間の開始時刻前に前記複数のリモート局装置全てに前記データフレームの送信を停止するための送信停止制御フレームを送信し、前記送信許可期間の開始時刻において、前記データフレームの送信を許可する特定の前記リモート局装置に前記データフレームの送信の停止を解除するための送信許可制御フレームを送信している。
【００１４】
本発明による他のデータ転送方法は、複数のリモート局装置と１つの基地局装置とが共通媒体を共有して接続され、前記リモート局装置から前記基地局装置へとデータフレームを転送し、前記基地局装置から前記リモート局装置へと前記データフレームを転送する一対多共通媒体接続通信システムのデータ転送方法であって、
前記リモート局装置から前記基地局装置への前記データフレームの送信を制御するために前記基地局装置から前記複数のリモート局装置全てに対して送信される制御フレームが、前記データフレームの送信を停止する期間を少なくとも含む制御領域群と、フレーム長が最低長以上になるように長さ調整をするフレーム長調整部と、前記各部からなる前記制御フレームのエラーチェックを行うためのエラー検出部とから構成されるようにしている。
【００１６】
本発明による一対多共通媒体型通信システムは、複数のリモート局装置と１つの基地局装置とが共通媒体を共有して接続され、前記リモート局装置から前記基地局装置へとデータフレームを転送し、前記基地局装置から前記リモート局装置へと前記データフレームを転送する一対多共通媒体接続通信システムであって、
前記リモート局装置に前記データフレームの送信を許可する送信許可期間を割り当て、前記送信許可期間の開始時刻前に前記複数のリモート局装置全てに前記データフレームの送信を停止するための送信停止制御フレームを送信する手段と、前記送信許可期間の開始時刻において、前記データフレームの送信を許可する特定の前記リモート局装置に前記データフレームの送信の停止を解除するための送信許可制御フレームを送信する手段とを前記基地局装置に備えている。
【００１７】
本発明による基地局装置は、複数のリモート局装置に共通媒体を共有して接続され、前記リモート局装置から自装置へと転送されるデータフレームを受信し、自装置から前記リモート局装置へと前記データフレームを転送する基地局装置であって、
前記リモート局装置に前記データフレームの送信を許可する送信許可期間を割り当て、前記送信許可期間の開始時刻前に前記複数のリモート局装置全てに前記データフレームの送信を停止するための送信停止制御フレームを送信する手段と、前記送信許可期間の開始時刻において、前記データフレームの送信を許可する特定の前記リモート局装置に前記データフレームの送信の停止を解除するための送信許可制御フレームを送信する手段とを備えている。
【００１８】
本発明によるリモート局装置は、基地局装置に共通媒体を共有して接続され、自装置から前記基地局装置へとデータフレームを転送し、前記基地局装置から自装置へと転送される前記データフレームを受信するリモート局装置であって、
前記基地局装置から割り当てられかつ自装置に前記データフレームの送信を許可する送信許可期間を含む送信停止制御フレームが前記基地局装置から複数のリモート局装置全てに送信される際にその送信停止制御フレームの受信時に前記送信許可期間の開始時刻前に前記データフレームの送信を停止する手段と、前記基地局装置から前記送信許可期間の開始時刻において前記データフレームの送信停止を解除するための送信許可制御フレームを受信した時に前記データフレームの送信停止を解除する手段とを備えている。
【００１９】
すなわち、本発明の第１のデータ転送方法は、複数のリモート局装置と１つの基地局装置とが共通媒体を介して接続され、リモート局装置から基地局装置へとデータフレームを転送し、基地局装置からリモート局装置へとデータフレームを転送する一対多共通媒体接続通信システムにおいて、基地局装置が、リモート局装置にデータフレームの送信を許可する送信許可期間を割り当て、送信許可期間の開始時刻前に、全てのまたは一部のリモート局装置にデータフレームの送信を停止する送信停止制御フレームを送信するとともに、送信許可期間の開始時刻に、データフレームの送信を許可する特定のリモート局装置にデータフレームの送信の停止を解除する送信許可制御フレームを送信している。
【００２０】
本発明の第２のデータ転送方法は、上記の一対多共通媒体接続通信システムにおいて、基地局装置が送信停止制御フレームを送信する際に、全てのリモート局装置に送信停止制御フレームを同報するようにしている。
【００２１】
本発明の第３のデータ転送方法は、上記の一対多共通媒体接続通信システムにおいて、基地局装置が送信停止制御フレームを送信する際に、全てのリモート局装置に送信停止制御フレームを個別に送信するようにしている。
【００２２】
本発明の第４のデータ転送方法は、上記の一対多共通媒体接続通信システムにおいて、基地局装置が送信停止制御フレームを送信する際に、データフレームの送信停止が解除されているリモート局装置に送信停止制御フレームを個別に送信するようにしている。
【００２３】
本発明の第５のデータ転送方法は、上記の一対多共通媒体接続通信システムにおいて、基地局装置が送信停止制御フレームを送信する際に、データフレームの送信停止が解除されているリモート局装置に送信停止制御フレームを個別に送信し、全てのリモート局装置に周期的に送信停止制御フレームを同報または個別に送信するようにしている。
【００２４】
本発明の第６のデータ転送方法は、上記の一対多共通媒体接続通信システムにおいて、基地局装置が、各々のリモート局装置に対して送信許可期間を割り当てる際に、予め決められた方針に基づいて固定的に割り当てるようにしている。
【００２５】
本発明の第７のデータ転送方法は、上記の一対多共通媒体接続通信システムにおいて、基地局装置が、各々のリモート局装置に対して送信許可期間を割り当てる際に、基地局装置で測定したリモート局装置のデータフレームの送出状況に応じて動的に割り当てるようにしている。
【００２６】
本発明の第８のデータ転送方法は、上記の一対多共通媒体接続通信システムにおいて、基地局装置が、各々のリモート局装置に対して送信許可期間を割り当てる際に、リモート局装置からの要求に応じて動的に割り当てるようにしている。
【００２７】
本発明の第９のデータ転送方法は、上記の一対多共通媒体接続通信システムにおいて、リモート局装置から基地局装置へのデータフレームの送信を制御するために基地局装置からリモート局装置に対して送信される制御フレームが、制御フレームの送信先であるリモート局装置の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、フレーム送信を停止する期間を記述する送信停止期間記述部とからなる制御領域群を含むともに、フレーム長が最低長以上になるように長さ調整をするフレーム長調整部と、これら各部からなる制御フレームのエラーチェックを行うためのエラー検出部とを備えている。
【００２８】
本発明の第１０のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の物理アドレスを記述する個別送信先アドレス部と、フレーム送信を停止する期間を記述する送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００２９】
本発明の第１１のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の識別子を記述する個別送信先アドレス部と、フレーム送信を停止する期間を記述する送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００３０】
本発明の第１２のデータ転送方法は、上記の一対多共通媒体接続通信システムにおいて、リモート局装置から基地局装置へのデータフレームの送信を制御するために基地局装置からリモート局装置に対して送信される制御フレームが、制御フレームの送信先であるリモート局装置の物理アドレスを記述する送信先アドレス部と、制御フレームの送信元である基地局装置の物理アドレスを記述する送信元アドレス部と、フレームの種類を記述するフレーム種別部と、制御フレームによって指示されるフレーム送出停止が終了した後にリモート局装置が送信するフレームの種類を示す識別子を記述するフレーム属性部と、フレーム送信を停止する期間を記述する送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００３１】
本発明の第１３のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、制御フレームによって指示されるフレーム送出停止が終了した後にリモート局装置が送信するフレームの種類を示す識別子を記述するフレーム属性部と、制御フレームの送信先であるリモート局装置の物理アドレスを記述する個別送信先アドレス部と、フレーム送信を停止する期間を記述する送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００３２】
本発明の第１４のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、制御フレームによって指示されるフレーム送出停止が終了した後にリモート局装置が送信するフレームの種類を示す識別子を記述するフレーム属性部と、制御フレームの送信先であるリモート局装置の識別子を記述する個別送信先アドレス部と、フレーム送信を停止する期間を記述する送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００３３】
本発明の第１５のデータ転送方法は、上記の一対多共通媒体接続通信システムにおいて、リモート局装置から基地局装置へのデータフレームの送信を制御するために基地局装置からリモート局装置に対して送信される制御フレームが、制御フレームの送信先であるリモート局装置の物理アドレスを記述する送信先アドレス部と、制御フレームの送信元である前記基地局装置の物理アドレスを記述する送信元アドレス部と、フレームの種類を記述するフレーム種別部と、フレーム種別部に記載されるフレーム種類の中の属性を記述するフレーム属性部と、制御フレームによって指示されるフレーム送出停止が終了した後にリモート局装置が送信するフレームの種類を示す識別子を記述するフレーム識別子部と、フレーム送信を停止する期間を記述する送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００３４】
本発明の第１６のデータ転送方法は、上記の一対多共通媒体接続通信システムにおいて、リモート局装置から基地局装置へのデータフレームの送信を制御するために、基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の物理アドレスを記述する個別送信先アドレス部と、制御フレームによって指示されるフレーム送出停止が終了した後にリモート局装置が送信するフレームの種類を示す識別子を記述するフレーム識別子部と、フレーム送信を停止する期間を記述する送信停止期間記述部とからなる制御領域群を含み、フレーム長が最低長以上になるように長さ調整をするフレーム長調整部と、これら各部からなる制御フレームのエラーチェックを行うためのエラー検出部とを含んでいる。
【００３５】
本発明の第１７のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の識別子を記述する個別送信先アドレス部と、制御フレームによって指示されるフレーム送出停止が終了した後にリモート局装置が送信するフレームの種類を示す識別子を記述するフレーム識別子部と、フレーム送信を停止する期間を記述する送信停止期間記述部とからなる制御領域群と、フレーム長が最低長以上になるように長さ調整をするフレーム長調整部と、これら各部からなる制御フレームのエラーチェックを行うためのエラー検出部とを備えている。
【００３６】
本発明の第１８のデータ転送方法は、上記の一対多共通媒体接続通信システムにおいて、リモート局装置から基地局装置へのデータフレームの送信を制御するために基地局装置からリモート局装置に対して送信される制御フレームが、制御フレームの送信先であるリモート局装置の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、一度目のフレーム送信を停止する期間を記述する第一送信停止期間記述部と、制御フレームを受信してから二度目のフレーム送信の停止を開始するまでの経過時間を記述する経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００３７】
本発明の第１９のデータ転送方法は、上記の一対多共通媒体接続通信システムにおいて、リモート局装置から基地局装置へのデータフレームの送信を制御するために基地局装置からリモート局装置に対して送信される制御フレームが、制御フレームの送信先であるリモート局装置の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００３８】
本発明の第２０のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の物理アドレスを記述する個別送信先アドレス部と、一度目のフレーム送信を停止する期間を記述する第一送信停止期間記述部と、制御フレームを受信してから二度目のフレーム送信の停止を開始するまでの経過時間を記述する経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００３９】
本発明の第２１のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の物理アドレスを記述する個別送信先アドレス部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００４０】
本発明の第２２のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の識別子を記述する個別送信先アドレス部と、一度目のフレーム送信を停止する期間を記述する第一送信停止期間記述部と、制御フレームを受信してから二度目のフレーム送信の停止を開始するまでの経過時間を記述する経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００４１】
本発明の第２３のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の識別子を記述する個別送信先アドレス部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００４２】
本発明の第２４のデータ転送方法は、上記の一対多共通媒体接続通信システムにおいて、リモート局装置から基地局装置へのデータフレームの送信を制御するために基地局装置からリモート局装置に対して送信される制御フレームが、制御フレームの送信先であるリモート局装置の物理アドレスを記述する送信先アドレス部と、制御フレームの送信元である基地局装置の物理アドレスを記述する送信元アドレス部と、フレームの種類を記述するフレーム種別部と、制御フレームによって指示されるフレーム送出停止が終了した後にリモート局装置が送信するフレームの種類を示す識別子を記述するフレーム属性部と、一度目のフレーム送信を停止する期間を記述する第一送信停止期間記述部と、制御フレームを受信してから二度目のフレーム送信の停止を開始するまでの経過時間を記述する経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００４３】
本発明の第２５のデータ転送方法は、上記の一対多共通媒体接続通信システムにおいて、リモート局装置から基地局装置へのデータフレームの送信を制御するために基地局装置からリモート局装置に対して送信される制御フレームが、制御フレームの送信先であるリモート局装置の物理アドレスを記述する送信先アドレス部と、制御フレームの送信元である基地局装置の物理アドレスを記述する送信元アドレス部と、フレームの種類を記述するフレーム種別部と、制御フレームによって指示されるフレーム送出停止が終了した後にリモート局装置が送信するフレームの種類を示す識別子を記述するフレーム属性部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００４４】
本発明の第２６のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、制御フレームによって指示されるフレーム送出停止が終了した後にリモート局装置が送信するフレームの種類を示す識別子を記述するフレーム属性部と、制御フレームの送信先であるリモート局装置の物理アドレスを記述する個別送信先アドレス部と、一度目のフレーム送信を停止する期間を記述する第一送信停止期間記述部と、制御フレームを受信してから二度目のフレーム送信の停止を開始するまでの経過時間を記述する経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００４５】
本発明の第２７のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、制御フレームによって指示されるフレーム送出停止が終了した後にリモート局装置が送信するフレームの種類を示す識別子を記述するフレーム属性部と、制御フレームの送信先であるリモート局装置の物理アドレスを記述する個別送信先アドレス部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００４６】
本発明の第２８のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、制御フレームによって指示されるフレーム送出停止が終了した後にリモート局装置が送信するフレームの種類を示す識別子を記述するフレーム属性部と、制御フレームの送信先であるリモート局装置の識別子を記述する個別送信先アドレス部と、一度目のフレーム送信を停止する期間を記述する第一送信停止期間記述部と、制御フレームを受信してから二度目のフレーム送信の停止を開始するまでの経過時間を記述する経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００４７】
本発明の第２９のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、制御フレームによって指示されるフレーム送出停止が終了した後にリモート局装置が送信するフレームの種類を示す識別子を記述するフレーム属性部と、制御フレームの送信先であるリモート局装置の識別子を記述する個別送信先アドレス部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００４８】
本発明の第３０のデータ転送方法は、上記の一対多共通媒体接続通信システムにおいて、リモート局装置から基地局装置へのデータフレームの送信を制御するために基地局装置からリモート局装置に対して送信される制御フレームが、制御フレームの送信先であるリモート局装置の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームによって指示されるフレーム送出停止が終了した後にリモート局装置が送信するフレームの種類を示す識別子を記述するフレーム識別子部と、一度目のフレーム送信を停止する期間を記述する第一送信停止期間記述部と、制御フレームを受信してから二度目のフレーム送信の停止を開始するまでの経過時間を記述する経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００４９】
本発明の第３１のデータ転送方法は、上記の一対多共通媒体接続通信システムにおいて、リモート局装置から基地局装置へのデータフレームの送信を制御するために基地局装置からリモート局装置に対して送信される制御フレームが、制御フレームの送信先であるリモート局装置の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームによって指示されるフレーム送出停止が終了した後にリモート局装置が送信するフレームの種類を示す識別子を記述するフレーム識別子部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部および二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００５０】
本発明の第３２のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の物理アドレスを記述する個別送信先アドレス部と、制御フレームによって指示されるフレーム送出停止が終了した後にリモート局装置が送信するフレームの種類を示す識別子を記述するフレーム識別子部と、一度目のフレーム送信を停止する期間を記述する第一送信停止期間記述部と、制御フレームを受信してから二度目のフレーム送信の停止を開始するまでの経過時間を記述する経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００５１】
本発明の第３３のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の物理アドレスを記述する個別送信先アドレス部と、制御フレームによって指示されるフレーム送出停止が終了した後にリモート局装置が送信するフレームの種類を示す識別子を記述するフレーム識別子部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００５２】
本発明の第３４のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の識別子を記述する個別送信先アドレス部と、制御フレームによって指示されるフレーム送出停止が終了した後にリモート局装置が送信するフレームの種類を示す識別子を記述するフレーム識別子部と、一度目のフレーム送信を停止する期間を記述する第一送信停止期間記述部と、制御フレームを受信してから二度目のフレーム送信の停止を開始するまでの経過時間を記述する経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００５３】
本発明の第３５のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の識別子を記述する個別送信先アドレス部と、制御フレームによって指示されるフレーム送出停止が終了した後にリモート局装置が送信するフレームの種類を示す識別子を記述するフレーム識別子部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００５４】
本発明の第３６のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の物理アドレスを記述する個別送信先アドレス部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備えている。
【００５５】
本発明の第３７のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の物理アドレスを記述する個別送信先アドレス部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備え、制御領域群を複数個連続して配置し、一番目の制御領域群に限り第一経過時間記述部を省略している。
【００５６】
本発明の第３８のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の識別子を記述する個別送信先アドレス部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備え、制御領域群を複数個連続して配置している。
【００５７】
本発明の第３９のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の識別子を記述する個別送信先アドレス部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる前記制御フレームのエラーチェックを行うためのエラー検出部とを備え、制御領域群を複数個連続して配置し、一番目の制御領域群に限り第一経過時間記述部を省略している。
【００５８】
本発明の第４０のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、制御フレームによって指示されるフレーム送出停止が終了した後にリモート局装置が送信するフレームの種類を示す識別子を記述するフレーム属性部と、制御フレームの送信先であるリモート局装置の物理アドレスを記述する個別送信先アドレス部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備え、制御領域群を複数個連続して配置している。
【００５９】
本発明の第４１のデータ転送方法は、上記の一対多共通媒体接続通信システムにおいて、リモート局装置から基地局装置へのデータフレームの送信を制御するために、前記基地局装置から前記リモート局装置に対して送信される制御フレームが、予約されたマルチキャスト用の物理アドレスを記述する送信先アドレス部と、前記制御フレームの送信元である前記基地局装置の物理アドレスを記述する送信元アドレス部と、フレームの種類を記述するフレーム種別部と、制御フレームによって指示されるフレーム送出停止が終了した後にリモート局装置が送信するフレームの種類を示す識別子を記述するフレーム属性部と、制御フレームの送信先であるリモート局装置の物理アドレスを記述する個別送信先アドレス部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備え、制御領域群を複数個連続して配置し、一番目の制御領域群に限り第一経過時間記述部を省略している。
【００６０】
本発明の第４２のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、制御フレームによって指示されるフレーム送出停止が終了した後にリモート局装置が送信するフレームの種類を示す識別子を記述するフレーム属性部と、制御フレームの送信先であるリモート局装置の識別子を記述する個別送信先アドレス部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備え、制御領域群を複数個連続して配置している。
【００６１】
本発明の第４３のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、制御フレームによって指示されるフレーム送出停止が終了した後にリモート局装置が送信するフレームの種類を示す識別子を記述するフレーム属性部と、制御フレームの送信先であるリモート局装置の識別子を記述する個別送信先アドレス部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備え、制御領域群を複数個連続して配置し、一番目の制御領域群に限り第一経過時間記述部を省略している。
【００６２】
本発明の第４４のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の物理アドレスを記述する個別送信先アドレス部と、制御フレームによって指示されるフレーム送出停止が終了した後にリモート局装置が送信するフレームの種類を示す識別子を記述するフレーム識別子部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備え、制御領域群を複数個連続して配置している。
【００６３】
本発明の第４５のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の物理アドレスを記述する個別送信先アドレス部と、制御フレームによって指示されるフレーム送出停止が終了した後にリモート局装置が送信するフレームの種類を示す識別子を記述するフレーム識別子部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備え、制御領域群を複数個連続して配置し、一番目の制御領域群に限り第一経過時間記述部を省略している。
【００６４】
本発明の第４６のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先であるリモート局装置の識別子を記述する個別送信先アドレス部と、制御フレームによって指示されるフレーム送出停止が終了した後にリモート局装置が送信するフレームの種類を示す識別子を記述するフレーム識別子部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備え、制御領域群を複数個連続して配置している。
【００６５】
本発明の第４７のデータ転送方法は、上記の一対多共通媒体接続通信システムにおいて、リモート局装置から基地局装置へのデータフレームの送信を制御するために基地局装置からリモート局装置に対して送信される制御フレームが、予約されたマルチキャスト用の物理アドレスを記述する送信先アドレス部と、制御フレームの送信元である基地局装置の物理アドレスを記述する送信元アドレス部と、フレームの種類を記述するフレーム種別部と、フレーム種別部に記載されるフレーム種類の中の属性を記述するフレーム属性部と、制御フレームの送信先である前記リモート局装置の識別子を記述する個別送信先アドレス部と、前記制御フレームによって指示されるフレーム送出停止が終了した後にリモート局装置が送信するフレームの種類を示す識別子を記述するフレーム識別子部と、制御フレームを受信してから一度目のフレーム送信の停止を開始するまでの経過時間を記述する第一経過時間記述部と、一度目のフレーム送信を停止する期間を記述する第一送信停止期間記述部と、制御フレームを受信してから二度目のフレーム送信の停止を開始するまでの経過時間を記述する第二経過時間記述部と、二度目のフレーム送信を停止する期間を記述する第二送信停止期間記述部とからなる制御領域群を含み、フレーム長が最低長以上になるように長さ調整をするフレーム長調整部と、これら各部からなる制御フレームのエラーチェックを行うためのエラー検出部とを備え、制御領域群を複数個連続して配置し、一番目の制御領域群に限り第一経過時間記述部を省略している。
【００６６】
本発明の第４８のデータ転送方法は、上述した制御フレームが、送信先アドレス部、送信元アドレス部、フレーム種別部に続いて、制御フレームを受信してからフレーム内に記述されている全ての処理を実行開始するまでの経過時間を記述するフレーム処理経過時間記述部を有し、制御領域群とフレーム長調整部とエラー検出部とを有している。
【００６７】
本発明の第４９のデータ転送方法は、上記の一対多共通媒体接続通信システムにおいて、基地局装置からリモート局装置に対して送信されるデータフレームの内部に、リモート局装置から基地局装置へのデータフレームの送信を制御するための情報を格納している。
【００６８】
本発明の第５０のデータ転送方法は、上記の一対多共通媒体接続通信システムにおいて、基地局装置からリモート局装置に対して送信されるデータフレームが、リモート局装置から基地局装置へのデータフレームの送信を制御するための情報を格納し、データフレームが、送信先アドレス部、送信元アドレス部に続いて、本データフレームが通常のデータフレームとリモート局装置からのフレーム送出を制御する制御フレームのハイブリッドモードであることを記す拡張データ種別部と、上述した制御領域群と、通常のデータフレームのペイロード部とエラー検出部とを有している。
【００６９】
本発明の第５１のデータ転送方法は、上記の一対多共通媒体接続通信システムにおいて、リモート局装置から基地局装置へのデータフレームの送信を制御するために、基地局装置からリモート局装置に対して送信される制御フレーム内のフレーム属性部またはフレーム識別子部において記述されるフレームの種類が、主信号フレーム、距離測定処理用のフレーム、リクエスト用のフレーム、登録処理用のフレーム、管理制御用のフレーム、その他の処理用に特別に用いられるフレームのいずれかとなるようにしている。
【００７０】
本発明の第５２のデータ転送方法は、基地局装置からリモート局装置へのデータフレーム及びリモート局装置から基地局装置へのデータフレームを、イーサネット（Ｒ）フレームとしている。
【００７１】
【発明の実施の形態】
次に、本発明の一実施例について図面を参照して説明する。図１は本発明の一実施例によるＥＰＯＮ［Ｅｔｈｅｒｎｅｔ（Ｒ）−ＰＯＮ（Ｐａｓｓｉｖｅ  Ｏｐｔｉｃａｌ  Ｎｅｔｗｏｒｋ）］システムの構成を示すブロック図である。図１において、本発明の一実施例によるＥＰＯＮシステムはリモート局装置１〜３と、基地局装置４と、パッシブ信号合流／分離器９と、ファイバ１００〜１０３とから構成されている。
【００７２】
リモート局装置１〜３にはそれぞれクライアント装置５〜７が接続されている。また、基地局装置４にはローカルスイッチ８が接続されている。リモート局装置１〜３とパッシブ信号合流／分離器９とはそれぞれファイバ１００〜１０２で接続されている。パッシブ信号合流／分離器９と基地局装置４とはファイバ１０３で接続されている。
【００７３】
リモート局装置１は送受信機能１０，１１と、アドレスフィルタ機能１２，１３と、バッファ機能１４，１５と、Ｍｕｘ（Ｍｕｌｔｉｐｌｅｘｅｒ）機能１６と、Ｄｅｍｕｘ（Ｄｅｍｕｌｔｉｐｌｅｘｅｒ）機能１７と、拡張送信停止制御フレーム解析機能１８と、送信停止制御フレーム生成機能１９とから構成されている。尚、図示していないが、リモート局装置２，３も上記のリモート局装置１と同様の構成である。
【００７４】
また、基地局装置４は送受信機能４０，４１と、アドレスフィルタ機能４２，４３と、バッファ機能４４，４５と、Ｄｅｍｕｘ機能４６と、Ｍｕｘ機能４７と、拡張送信停止制御フレーム生成機能４８と、送信停止制御フレーム解析機能４９と、帯域割当機能５０とから構成されている。
【００７５】
図２は本発明の一実施例による制御フレームの第１の構成例を示す図である。図２においては、図１に示すＥＰＯＮシステムにおける上り方向のフレーム送出を制御するために、基地局装置４からリモート局装置１〜３へと転送される拡張送信停止制御フレームＡを示している。
【００７６】
拡張送信停止制御フレームＡは送信先装置のＭＡＣ（Ｍｅｄｉａ  Ａｃｃｅｓｓ  Ｃｏｎｔｒｏｌ）アドレスを記述する宛先アドレスフィールド（以下、ＤＡフィールドとする）Ａ１と、送信元装置のＭＡＣアドレスを記述する送信元アドレスフィールド（以下、ＳＡフィールドとする）Ａ２と、フレームの分類（例えば、通常のＭＡＣフレームや制御用フレームのＭＡＣ制御フレームであること）を記述するフレーム分類フィールド（以下、Ｔｙｐｅフィールドとする）Ａ３と、フレームの属性（例えば、ＭＡＣ制御フレームである場合に拡張送信停止制御フレームであること）を記述するフレーム属性フィールド（以下、Ｃｏｄｅフィールドとする）Ａ４と、データの送信を停止する期間を記述するデータ送信停止期間フィールド（以下、Ｐａｕｓｅ＿ｔｉｍｅフィールドとする）Ａ５と、フレーム長が最低フレーム長以上となるよう長さを調整するフレーム長調整フィールド（以下、Ｐａｄｄｉｎｇフィールドとする）Ａ６と、フレームのエラーをチェックするエラーチェックフィールド（以下、ＦＣＳフィールドとする）Ａ７とから構成されている。ここで、ＣｏｄｅフィールドＡ４とＰａｕｓｅ＿ｔｉｍｅフィールドＡ５とを合わせて送信停止制御フィールド群（Ｃｏｎｔｒｏｌ＿Ｆｉｅｌｄ＿Ｇｒｏｕｐ）Ａ８とする。
【００７７】
ＤＡフィールドＡ１には基地局装置４がフレーム送出を制御するリモート局装置１〜３の個別のＭＡＣアドレスが記述される。基地局装置４から送出された拡張送信停止制御フレームＡを受信したリモート局装置１〜３は、ＤＡフィールドＡ１に記述されたＭＡＣアドレスが自装置のＭＡＣアドレスと一致するリモート局装置（例えば、リモート局装置１）のみがこの拡張送信停止制御フレームを受信し、フレーム内のＰａｕｓｅ＿ｔｉｍｅフィールドＡ５に記述される期間、フレームの送信を停止する。
【００７８】
図３は本発明の一実施例による制御フレームの第２の構成例を示す図である。図３においては図１に示すＥＰＯＮシステムにおける上り方向のフレーム送出を制御するために、基地局装置４からリモート局装置１〜３へと転送される拡張送信停止制御フレームＢを示している。
【００７９】
拡張送信停止制御フレームＢはＤＡフィールドＡ１と、ＳＡフィールドＡ２と、ＴｙｐｅフィールドＡ３と、ＣｏｄｅフィールドＢ１と、Ｐａｕｓｅ＿ｔｉｍｅフィールドＡ５と、ＰａｄｄｉｎｇフィールドＡ６と、ＦＣＳフィールドＡ７とに個別宛先フィールド（ＩＤＡフィールド）Ｂ２を追加して構成されている。ここで、ＣｏｄｅフィールドＢ１とＩＤＡフィールドＢ２とＰａｕｓｅ＿ｔｉｍｅフィールドＡ５とを合わせて送信停止制御フィールド群Ｂ３とする。
【００８０】
図３では、ＤＡフィールドＡ１に予約されたマルチキャストＭＡＣアドレスが記述され、ＩＤＡフィールドＢ２にフレームの送出を制御するリモート局装置１〜３のＭＡＣアドレスが記述される。
【００８１】
基地局装置４から送出された拡張送信停止制御フレームＢを受信したリモート局装置１〜３は、ＩＤＡフィールドＢ２に記述されたＭＡＣアドレスが自装置のＭＡＣアドレスと一致するリモート局装置（例えば、リモート局装置１）のみがこの拡張送信停止制御フレームＢを受信し、フレーム内のＰａｕｓｅ＿ｔｉｍｅフィールドＡ５に記述される期間、フレームの送信を停止する。
【００８２】
図３の拡張送信停止制御フレームＢのＩＤＡフィールドＢ２に記述するアドレスはフレームの送出を制御したいリモート局装置１〜３のＭＡＣアドレスではなく、独自の識別子でも構わない。ＭＡＣアドレスのサイズは６バイトと長いため、一つの基地局装置４に接続されるリモート局装置１〜３の数がせいぜい数１０程度であるＥＰＯＮシステムでは、サイズの小さい識別子を採用することによって拡張送信停止制御フレームＢのサイズを縮小することができる。但し、この場合には、基地局装置４側においてリモート局装置１〜３のＭＡＣアドレスと識別子との対応管理、基地局装置４とリモート局装置１〜３との間での識別子割り当てのネゴシエーション等が必要となる。
【００８３】
以上のように、図２及び図３に示す拡張送信停止制御フレームＡまたは拡張送信停止制御フレームＢを利用することによって、基地局装置４は特定のリモート局装置１〜３に対して拡張送信停止制御フレームＡまたは拡張送信停止制御フレームＢを送信することができるため、特定のリモート局装置１〜３のフレーム送出を制御することができる。
【００８４】
本発明の一実施例による拡張送信停止制御フレームの他の例としては、図３に示す構成と同様の構成を持ち、ＣｏｄｅフィールドＢ１において、そのＭＡＣ制御フレームの属性を示す既に定義された識別子ではなく、新たに定義される識別子が記述される場合もある。その識別子はフレームを受信したリモート局装置１〜３が基地局装置４に対して送信することができるデータの種類を示す。データの種類としては、例えば主信号、Ｒｅｑｕｅｓｔ（要求）用フレーム、Ｒａｎｇｉｎｇ用フレーム、Ｒｅｇｉｓｔｒａｔｉｏｎ用フレーム、ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）用フレーム等がある。
【００８５】
基地局装置４から送出された拡張送信停止制御フレームＢを受信したリモート局装置１〜３は、ＤＡフィールドＡ１に記述されたＭＡＣアドレスが自装置のＭＡＣアドレスと一致するリモート局装置（例えば、リモート局装置１）のみがこの拡張送信停止制御フレームＢを受信し、フレーム内のＰａｕｓｅ＿ｔｉｍｅフィールドＡ５に記述される期間、フレームの送信を停止した後に、ＣｏｄｅフィールドＢ１に記された種類のデータのフレームを基地局装置４に対して送信する。
【００８６】
図４は本発明の一実施例による制御フレームの第３の構成例を示す図である。図４においては、図１に示すＥＰＯＮシステムにおける上り方向のフレーム送出を制御するために、基地局装置４からリモート局装置１〜３へと転送される拡張送信停止制御フレームＣを示している。
【００８７】
拡張送信停止制御フレームＣは図２に示す各フィールドにデータ種別フィールド（Ｆｌａｇフィールド）Ｃ１を追加して構成されている。ここで、ＣｏｄｅフィールドＢ１とＦｌａｇフィールドＣ１とＰａｕｓｅ＿ｔｉｍｅフィールドＡ５とを合わせて送信停止制御フィールド群Ｃ２とする。
【００８８】
ＦｌａｇフィールドＣ１には図３に示すＣｏｄｅフィールドＢ１の新規識別子と同様に、拡張送信停止制御フレームＣを受信したリモート局装置１〜３が基地局装置４に対して送信することができるデータの種類が記される。
【００８９】
基地局装置４から送出された拡張送信停止制御フレームＣを受信したリモート局装置１〜３は、ＤＡフィールドＡ１に記述されたＭＡＣアドレスが自装置のＭＡＣアドレスと一致するリモート局装置（例えば、リモート局装置１）のみがこの拡張送信停止制御フレームＣを受信し、フレーム内のＰａｕｓｅ＿ｔｉｍｅフィールドＡ５に記述される期間、フレームの送信を停止した後に、ＦｌａｇフィールドＣ１に記された種類のデータのフレームを基地局装置４に対して送信する。
【００９０】
図５は本発明の一実施例による制御フレームの第４の構成例を示す図である。図５においては、図３に示す拡張送信停止制御フレームＢに、新規にＦｌａｇフィールドＣ１を追加し、そのＦｌａｇフィールドＣ１にデータ種別識別子を記述する拡張送信停止制御フレームＤである。ここで、ＣｏｄｅフィールドＢ１とＩＤＡフィールドＢ２とＦｌａｇフィールドＣ１とＰａｕｓｅ＿ｔｉｍｅフィールドＡ５とを合わせて送信停止制御フィールド群Ｄ１とする。
【００９１】
ＩＤＡフィールドＢ２に記されたＭＡＣアドレスまたは識別子が宛先となっているリモート局装置（例えば、リモート局装置１）はＦｌａｇフィールドＣ１に記述された種類のデータのフレームを基地局装置４に対して送出する。
【００９２】
以上のように、図３〜図５に示す拡張送信停止制御フレームＢ〜Ｄを利用することによって、基地局装置４は特定のリモート局装置１〜３に対して拡張送信停止制御フレームＢまたは拡張送信停止制御フレームＣ、あるいは拡張送信停止制御フレームＤを送信し、そのリモート局装置１〜３が送出するデータの種類を指示することができるため、特定のリモート局装置１〜３のフレーム送出をよりきめ細かく制御することができる。
【００９３】
図６は本発明の一実施例による制御フレームの第５の構成例を示す図であり、図７（ａ），（ｂ）は図６に示す制御フレームを用いたフレーム送出法の一例を示す図である。図６においては、図１に示すＥＰＯＮシステムにおける上り方向のフレーム送出を制御するために、基地局装置４からリモート局装置１〜３へと転送される拡張送信停止制御フレームＥを示している。
【００９４】
拡張送信停止制御フレームＥは図２に示す各フィールドに第１のＯｆｆｓｅｔフィールドＥ１と、第２のＯｆｆｓｅｔフィールドＥ２と、第２のＰａｕｓｅ＿ｔｉｍｅフィールドＥ３とを追加して構成している。拡張送信停止制御フレームＥの各フィールドは図２に示す拡張送信停止制御フレームに関して、ＣｏｄｅフィールドＢ１の後に、第１のＯｆｆｓｅｔフィールドＥ１、第１のＰａｕｓｅ＿ｔｉｍｅフィールドＡ５、第２のＯｆｆｓｅｔフィールドＥ２、第２のＰａｕｓｅ＿ｔｉｍｅフィールドＥ３の順序で配置されている。ここで、ＣｏｄｅフィールドＢ１から第２のＰａｕｓｅ＿ｔｉｍｅフィールドＥ３までの各フィールドを合わせて送信停止制御フィールド群Ｅ４とする。
【００９５】
第１のＯｆｆｓｅｔフィールドＥ１及び第２のＯｆｆｓｅｔフィールドＥ２には拡張送信停止制御フレームＥが到着してからの時間が記され、その時間が経過した後に第１のＰａｕｓｅ＿ｔｉｍｅフィールドＡ５及び第２のＰａｕｓｅ＿ｔｉｍｅフィールドＥ３に記された期間のフレーム送出が停止される。
【００９６】
拡張送信停止制御フレームＥを受信したリモート局装置１〜３は第１のＯｆｆｓｅｔ時間経過後、第１のＰａｕｓｅ＿ｔｉｍｅ時間の送出停止処理を行った後に、第２のＯｆｆｓｅｔ時間経過後、第２のＰａｕｓｅ＿ｔｉｍｅ時間の送出停止処理を行う。尚、第１のＯｆｆｓｅｔフィールドＥ１については、０であれば省略しても構わない。
【００９７】
例えば、図７に示すように、第１のＯｆｆｓｅｔフィールドＥ１に「０」、第１のＰａｕｓｅ＿ｔｉｍｅフィールドＡ５に「０」、第２のＯｆｆｓｅｔフィールドＥ２に「１０」、第２のＰａｕｓｅ＿ｔｉｍｅフィールドＥ３に「１０００」と記された拡張送信停止制御フレームＥが基地局装置４から各リモート局装置１〜３に送信されたとする。ＤＡフィールドＡ１に記されたＭＡＣアドレスが自装置のアドレスであるリモート局装置１は、拡張送信停止制御フレームＥを受信してから０単位時間経過後に、０単位時間の間フレームの送出を停止し、その後、フレームを受信してから１０単位時間経過後に、１０００単位時間の間フレームの送出を停止する。すなわち、この拡張送信停止制御フレームＥを受信したリモート局装置１は、フレームを受信してから１０単位時間の間フレームの送信を許可されたこととなる。
【００９８】
以上のように、図６に示す拡張送信停止制御フレームＥではこれまで２つの拡張送信停止制御フレームを送出して指示していた処理を１つの拡張送信停止制御フレームによって指示することができるため、制御フレーム数を削減することができる。また、図７に示すようなパラメータ設定することによって、リモート局装置１〜３に対してフレーム送出可能な期間を指示することができる。
【００９９】
図８は本発明の一実施例による制御フレームの第６の構成例を示す図である。図８においては、図１に示すＥＰＯＮシステムにおける上り方向のフレーム送出を制御するために、基地局装置４からリモート局装置１〜３へと転送される拡張送信停止制御フレームＦを示している。
【０１００】
拡張送信停止制御フレームＦは図６に示す各フィールドにＩＤＡフィールドＢ２を追加して構成されている。ここで、ＣｏｄｅフィールドＢ１から第２のＰａｕｓｅ＿ｔｉｍｅフィールドＥ３までの各フィールドを合わせて送信停止制御フィールド群Ｆ１とする。尚、第１のＯｆｆｓｅｔフィールドＥ１については０であれば省略しても構わない。
【０１０１】
基地局装置４から図８に示す拡張送信停止制御フレームＦが送信されると、ＤＡフィールドＡ１またはＩＤＡフィールドＢ２に記されたＭＡＣアドレスもしくは識別子が自装置宛てであるリモート局装置（例えば、リモート局装置１）は第１のＯｆｆｓｅｔフィールドＥ１に記された時間経過後に、第１のＰａｕｓｅ＿ｔｉｍｅフィールドＡ５に記された期間、フレーム送出を停止し、さらに、第２のＯｆｆｓｅｔフィールドＥ２に記された時間経過後に、第２のＰａｕｓｅ＿ｔｉｍｅフィールドＥ３に記された期間、フレーム送出を停止する。
【０１０２】
図９は本発明の一実施例による制御フレームの第７の構成例を示す図であり、図１０（ａ），（ｂ）は図９に示す制御フレームを用いたフレーム送出法の一例を示す図である。図９においては、図１に示すＥＰＯＮシステムにおける上り方向のフレーム送出を制御するために、基地局装置４からリモート局装置１〜３へと転送される拡張送信停止制御フレームＧを示している。
【０１０３】
拡張送信停止制御フレームＧは図８に示す各フィールドにＦｌａｇフィールドＣ１を追加して構成されている。ここで、ＣｏｄｅフィールドＢ１から第２のＰａｕｓｅ＿ｔｉｍｅフィールドＥ３までの各フィールドを合わせて送信停止制御フレーム群Ｇ１とする。
【０１０４】
受信した拡張送信停止制御フレームＧのＤＡフィールドＡ１またはＩＤＡフィールドＢ２のＭＡＣアドレスか識別子が自装置のアドレスと等しいリモート局装置（例えば、リモート局装置１）は、第１のＯｆｆｓｅｔ時間経過後に、第１のＰａｕｓｅ＿ｔｉｍｅ時間の間フレーム送出を停止し、第２のＯｆｆｓｅｔ時間経過後に、第２のＰａｕｓｅ＿ｔｉｍｅ時間の間フレーム送出を停止する。尚、第１のＯｆｆｓｅｔフィールドＥ１については０であれば省略しても構わない。
【０１０５】
リモート局装置１は第１のフレーム送出停止が終了してから第２のフレーム送出停止を開始するまでの間に、ＦｌａｇフィールドＣ１またはＣｏｄｅフィールドＢ１に記されたデータ種別のフレームを基地局装置４に対して送出する。
【０１０６】
以上のように、図９に示す拡張送信停止制御フレームＧではこれまで２つの拡張送信停止制御フレームを送出して指示していた処理を１つの拡張送信停止制御フレームによって指示することができるため、制御フレーム数を削減することができる。また、ＦｌａｇフィールドＣ１またはＣｏｄｅフィールドＢ１におけるパラメータ設定によって、リモート局装置１〜３に対して送出するフレームの種類を指示することができる。
【０１０７】
図９に示す拡張送信停止制御フレームＧは送信停止制御フィールド群Ｇ１が任意の数繰り返されて、付加される場合もある。拡張送信停止制御フレームＧを受信すると、受信した拡張送信停止制御フレームＧのＩＤＡフィールドＢ２のＭＡＣアドレスか識別子が自装置のアドレスと等しいリモート局装置（例えば、リモート局装置１）は、第一の送信停止制御フレーム群Ｇ１に関して、第１のＯｆｆｓｅｔ時間経過後に、第１のＰａｕｓｅ＿ｔｉｍｅ時間の間、フレーム送出を停止し、第２のＯｆｆｓｅｔ時間経過後に、第２のＰａｕｓｅ＿ｔｉｍｅ時間の間、フレーム送出を停止する。さらに、送信停止制御フィールド群Ｇ１が続く場合には、上記と同様の動作を繰り返し行う。
【０１０８】
例えば、図１０に示すように、［ＩＤＡフィールドＢ２、第１のＯｆｆｓｅｔフィールドＥ１、第１のＰａｕｓｅ＿ｔｉｍｅフィールドＡ５、第２のＯｆｆｓｅｔフィールドＥ２、第２のＰａｕｓｅ＿ｔｉｍｅフィールドＥ３］の組がそれぞれ、［リモート局装置１、０、０、１０、１０００］、［リモート局装置３、１０、０、１００、１０００］、［リモート局装置２、１００、０、３００、１０００］であるとする。
【０１０９】
このような場合には、リモート局装置１はフレーム受信から０単位時間経過後に０単位時間の間、フレーム送信を停止し、フレーム受信から１０単位時間経過後に１０００単位時間の間、フレーム送信を停止する。
【０１１０】
また、リモート局装置３は１０単位時間経過後に０単位時間の間、フレーム送信を停止し、フレーム受信から１００単位時間経過後に１０００単位時間の間、フレーム送信を停止する。
【０１１１】
さらに、リモート局装置２は１００単位時間経過後に０単位時間の間、フレーム送信を停止し、フレーム受信から３００単位時間経過後に１０００単位時間の間、フレーム送信を停止する。
【０１１２】
すなわち、図１０に示すように、リモート局装置１はフレーム受信時から１０単位時間までの間、フレームを送信することができ、リモート局装置３はフレーム受信から１０単位時間経過後に、１００単位時間経過後までの９０単位時間の間、フレームを送信することができ、リモート局装置２はフレーム受信から１００単位時間経過後に、３００単位時間経過後までの２００単位時間の間、フレームを送信することができる。
【０１１３】
以上のように、図９に示す拡張送信停止制御フレームＧにおいて、送信停止制御フィールド群Ｇ１までが繰り返される場合には、これまでリモート局装置１〜３毎に２つの拡張送信停止制御フレームを送出して指示していた処理を１つの拡張送信停止制御フレームによって指示することができるため、制御フレーム数を大幅に削減することができる。また、図１０に示すようなパラメータ設定することによって、各リモート局装置１〜３に対してフレーム送出可能な期間を指示することができる。
【０１１４】
図１１は本発明の一実施例による制御フレームの第８の構成例を示す図である。図１１においては、フレーム全体の処理を開始するまでの待ち時間を記述する場合の拡張送信停止制御フレームＨを示している。
【０１１５】
拡張送信停止制御フレームＨは図２〜図６と図８と図９とに示す拡張送信停止制御フレームＡ，Ｂ，Ｃ，Ｄ，Ｅ，Ｆ，Ｇに対して、ＤＡフィールドＡ１、ＳＡフィールドＡ２、ＴｙｐｅフィールドＡ３と送信停止制御フィールド群（Ｃｏｎｔｒｏｌ＿Ｆｉｅｌｄ＿Ｇｒｏｕｐ）Ｈ２との間に、フレーム全体の処理を開始するまでの待ち時間を記述するフレーム処理経過時間記述フィールド（Ｆ＿Ｏｆｆｓｅｔフィールド）Ｈ１を追加して構成されている。
【０１１６】
図中の送信停止制御フィールド群Ｈ２には、図２〜図６と図８と図９とに示す送信停止制御フィールド群Ａ８，Ｂ３，Ｃ２，Ｄ１，Ｅ４，Ｆ１，Ｇ１が適用される。Ｆ＿ＯｆｆｓｅｔフィールドＨ１が追加された拡張送信停止制御フレームＨを受信したリモート局装置１〜３は、拡張送信停止制御フレームＨの受信後、Ｆ＿ＯｆｆｓｅｔフィールドＨ１に記述された時間が経過した後に、フレーム内に記述された処理を実行する。
【０１１７】
これによって、基地局装置４からの拡張送信停止制御フレームＨの送信タイミングと、それを受信するリモート局装置１〜３における処理の実行タイミングとを柔軟に設定することができるため、タイミングが固定されることによる効率劣化を防ぐことができる。
【０１１８】
図１２は本発明の一実施例による制御フレームの第９の構成例を示す図である。図１２においては、通常のＭＡＣフレームを用いる場合の拡張送信停止制御フレームＩを示している。
【０１１９】
拡張送信停止制御フレームＩは、通常のＭＡＣフレームにおけるＳＡフィールドＡ２とＴｙｐｅフィールドＡ３との間に、拡張Ｔｙｐｅフィールド（Ｅｘ＿Ｔｙｐｅ  フィールド）Ｉ１及び送信停止制御フィールド群Ｉ３が配置され、ＰａｄｄｉｎｇフィールドＡ６の代わりにＤａｔａフィールドＩ２が配置されている。
【０１２０】
送信停止制御フィールド群Ｉ３には図２〜図６と図８と図９とに示す送信停止制御フィールド群Ａ８，Ｂ３，Ｃ２，Ｄ１，Ｅ４，Ｆ１，Ｇ１が適用される。拡張ＴｙｐｅフィールドＩ１には、通常のＭＡＣフレームと拡張送信停止制御フレームとのハイブリッドモードであることを示す識別子とが記述される。
【０１２１】
自装置宛ての拡張送信停止制御フレームＩを受信したリモート局装置（例えば、リモート局装置１）は、拡張ＴｙｐｅフィールドＩ１においてハイブリッドモードであることを認識すると、送信停止制御フィールド群Ｉ３の内容に従い、フレーム送出制御を行う。
【０１２２】
上記のように、拡張送信停止制御フレームＩを通常のＭＡＣフレームと同一フレームにまとめることによって、拡張送信停止制御フレームを独自に生成する必要がない。これによって、制御フレーム用帯域を削減することができるため、効率が良いという利点がある。
【０１２３】
図１３及び図１４は本発明の一実施例によるＥＰＯＮシステムの動作を示すシーケンスチャートである。これら図１〜図１４を参照して本発明の一実施例によるＥＰＯＮシステムの動作について説明する。まず、上り方向（リモート局装置１〜３から基地局装置４への方向）のデータの流れについて説明する。
【０１２４】
クライアント装置５〜７から入力されるイーサネット（Ｒ）フレーム（図１３のＳ１）はリモート局装置１〜３の送受信機能１０で受信され、アドレスフィルタ機能１２に転送される。アドレスフィルタ機能１２ではフレームの宛先アドレスフィールド（ＤＡフィールド）を参照して（図１３ステップＳ１１）、アドレスが適合するフレームに限り（図１３ステップＳ１２）、バッファ機能１４に転送する。
【０１２５】
バッファ機能１４はフレームを一時蓄積し（図１３ステップＳ１２）、拡張送信停止制御フレーム解析機能１８の指示に従い、フレーム送信の許可が出た場合（図１３ステップＳ１４）、フレームをＭｕｘ機能１６に転送する。尚、拡張送信停止制御フレーム解析機能１８の機能については後述する。
【０１２６】
Ｍｕｘ機能１６はバッファ機能１４から転送されるフレームと、送信停止制御フレーム生成機能１９から転送される送信停止制御フレームとを多重化し（図１３ステップＳ１５）、送受信機能１１に転送する。送受信機能１１は受信したフレーム（図１３のＳ１６）をファイバ１００に対して送信する。尚、送信停止制御フレーム生成機能１９の機能については後述する。
【０１２７】
送信されたフレームはファイバ１００、パッシブ信号合流／分離器９、ファイバ１０３を経由して、基地局装置４の送受信機能４０に転送される。送受信機能４０は受信したフレームをアドレスフィルタ機能４２に転送する。アドレスフィルタ機能４２はフレームのＤＡフィールドが適合するフレームに限り（図１３ステップＳ２１）、バッファ機能４４に転送する。
【０１２８】
バッファ機能４４はフレームを一時蓄積し（図１３ステップＳ２２）、Ｄｅｍｕｘ機能４６に転送する。Ｄｅｍｕｘ機能４６はバッファ機能４４から転送されたフレームを送信停止制御フレームとその他のフレームとを分離し（図１３ステップＳ２３）、送信停止制御フレームを送信停止制御フレーム解析機能４９に転送して送信停止制御を行うとともに（図１３ステップＳ２５）、その他のフレームを送受信機能４１に転送する。送受信機能４１は受信したフレーム（図１３のＳ２４）をローカルスイッチ８に対して送信する。尚、送信停止制御フレーム解析機能４９の機能については後述する。
【０１２９】
一方、下り方向（基地局装置４からリモート局装置１〜３への方向）のデータの流れは以下の通りである。ローカルスイッチ８から入力されるイーサネット（Ｒ）フレーム（図１４のＳ３１）は基地局装置４の送受信機能４１で受信され、アドレスフィルタ機能４３に転送される。アドレスフィルタ機能４３ではフレームのＤＡフィールドのアドレスが適合するフレームに限り（図１４ステップＳ４１）、Ｍｕｘ機能４７に転送する。Ｍｕｘ機能４７はアドレスフィルタ機能４３からのフレーム及び拡張送信停止制御フレーム生成機能４８からの拡張送信停止制御フレームを多重化し（図１４ステップＳ４２）、バッファ機能４５に転送する。尚、拡張送信停止制御フレーム生成機能４８の機能については後述する。
【０１３０】
バッファ機能４５はフレームを一時蓄積し（図１４ステップＳ４３）、送信停止制御フレーム解析機能４９の指示に従い、フレーム送信の許可が出た場合（図１４ステップＳ４４）、フレームを送受信機能４０に転送する。送受信機能４０は受信したフレーム（図１４のＳ４６）をファイバ１０３に対して送信する（図１４ステップＳ４５）。尚、送信停止制御フレーム解析機能４９の機能については後述する。
【０１３１】
送信されたフレームはファイバ１０３、パッシブ信号合流／分離器９、ファイバ１００〜１０２を経由して、各リモート局装置１〜３の送受信機能１１に転送される。送受信機能１１は受信したフレームをアドレスフィルタ機能１３に転送する。アドレスフィルタ機能１３はフレームのＤＡフィールドが適合するフレームに限り（図１４ステップＳ５１）、バッファ機能１５に転送する。
【０１３２】
バッファ機能１５はフレームを一時蓄積し（図１４ステップＳ５２）、Ｄｅｍｕｘ機能１７に転送する。Ｄｅｍｕｘ機能１７はバッファ機能１５から転送されたフレームを拡張送信停止制御フレームとその他のフレームとを分離し（図１４ステップＳ５３）、拡張送信停止制御フレームを拡張送信停止制御フレーム解析機能１８に転送して拡張送信停止制御を行うとともに（図１４ステップＳ５５）、その他のフレームを送受信機能１０にそれぞれ転送する。送受信機能１０は受信したフレーム（図１４のＳ５４）をクライアント装置５〜７に対して送信する。
【０１３３】
続いて、下り方向のフロー制御について説明する。下り方向のフロー制御はリモート局装置１〜３内の送信停止制御フレーム生成機能１９と基地局装置４内の送信停止制御フレーム解析機能４９との相互作用によって機能する。ここでは、ＩＥＥＥ８０２．３で規定されている送信停止制御フレームが用いられる。
【０１３４】
送信停止制御フレーム生成機能１９はバッファ機能１５の蓄積情報をモニタし、蓄積量が閾値を超過する等の輻輳状態であると確認された場合において、データの送信元である基地局装置４からのフレーム送出を一時停止させるために、送信停止制御フレームを作成する。フレーム送信を停止させる時間を記述した送信停止制御フレームを作成した送信停止制御フレーム生成機能１９は、作成した送信停止制御フレームをＭｕｘ機能１６に送信する。
【０１３５】
通常のデータと同様に、基地局装置４に転送された送信停止制御フレームはＤｅｍｕｘ機能４６において分離され、送信停止制御フレーム解析機能４９に転送される。送信停止制御フレーム解析機能４９は送信停止制御フレームに記述されている送出停止時間の間、送信停止制御フレームの送信元であるリモート局装置１〜３へのフレーム送信を停止する。
【０１３６】
続いて、上り方向について説明する。上り方向のフレーム送出制御及び輻輳制御のためのフロー制御は基地局装置４内の拡張送信停止制御フレーム生成機能４８及び帯域割当機能５０とリモート局装置１〜３内の拡張送信停止制御フレーム解析機能１８とによって動作する。
【０１３７】
拡張送信停止制御フレーム生成機能４８はバッファ機能４４の蓄積状況をモニタし、輻輳が確認された場合に輻輳制御のためのフロー制御用の従来の送信停止制御フレームを作成する。また、上り方向のフレーム送出制御に関しては、帯域割当機能５０によって計算された上り方向の帯域割当結果に基づき、拡張送信停止制御フレーム生成機能４８は本発明の拡張送信停止制御フレームを生成する。
【０１３８】
帯域割当機能５０は各々のリモート局装置１〜３への上り帯域割り当てを行う機能であり、その方法としては、予め決められた方針に従って各リモート局装置１〜３に対して固定的に割り当てたり、バッファ機能４４のモニタによって計測した各リモート局装置１〜３の使用帯域状況に基づいて各リモート局装置１〜３に対して動的に割り当てたり、各リモート局装置１〜３から通知されるＲｅｑｕｅｓｔに応じて各リモート局装置１〜３に対して動的に割り当てることができる。各リモート局装置１〜３への帯域割り当てを計算した帯域割当機能５０はその結果を拡張送信停止制御フレーム生成機能４８に通知する。
【０１３９】
図１５は図１の拡張送信停止制御フレーム生成機能４８の構成を示すブロック図である。図１５において、拡張送信停止制御フレーム生成機能４８は送出停止時間決定回路４８１と、バッファモニタ回路４８２と、アドレス付加回路４８３と、フレーム分類付加回路４８４と、フレーム属性付加回路４８５と、送出停止時間付加回路４８６と、データ長調整部付加回路４８７と、誤り訂正部付加回路４８８と、送信回路４８９とから構成されている。
【０１４０】
バッファモニタ回路４８２はバッファ機能４４の蓄積状況をモニタし、輻輳が検出されると、その旨を送出停止時間決定回路４８１に通知する。送出停止時間決定回路４８１は輻輳状況に応じて送出を停止させる時間を決定する。また、送出停止時間決定回路４８１は帯域割当機能５０から帯域割当結果が通知された場合、通知された割当帯域から各リモート局装置１〜３への送出停止時間を決定する。その方法としては以下の３つの方法が考えられる。ここではリモート局装置１に対して時刻０〜時刻ＸまでのＸ単位時間、リモート局装置２に対して時刻Ｘから時刻２ＸまでのＸ単位時間の間帯域が割り当てられる場合について述べる。
【０１４１】
第一の方法では、全てのリモート局装置１〜３に対して送出停止時間として十分長い期間（例えば、最大単位時間）を設定し、その後、帯域を割り当てるリモート局装置１に対して送出停止時間＝０を設定し、Ｘ単位時間経過後に再び全てのリモート局装置１〜３に対して送出停止時間として十分長い期間を設定し、その後、リモート局装置２に対して送出停止時間＝０を設定し、さらにＸ単位時間経過後に再び全てのリモート局装置１〜３に対して送出停止時間として十分長い期間を設定する。これによって、時刻０〜時刻Ｘの間にリモート局装置１に対して、時刻Ｘから時刻２Ｘの間にリモート局装置２に対してそれぞれ送信を許可することができる。
【０１４２】
第二の方法では、全てのリモート局装置１〜３に対して送出停止時間として十分長い期間（例えば、最大単位時間）を設定し、その後、帯域を割り当てるリモート局装置１に対して送出停止時間＝０を設定し、Ｘ単位時間経過後にリモート局装置１に対して送出停止時間として十分長い期間を設定し、その後、リモート局装置２に対して送出停止時間＝０を設定し、さらにＸ単位時間経過後にリモート局装置２に対して送出停止時間として十分長い期間を設定する。これによって、時刻０〜時刻Ｘの間にリモート局装置１に対して、時刻Ｘから時刻２Ｘの間にリモート局装置２に対してそれぞれ送信を許可することができる。
【０１４３】
第三の方法では、全てのリモート局装置１〜３に対して送出停止時間として十分長い期間（例えば、最大単位時間）を設定し、その後、帯域を割り当てるリモート局装置１に対して送出停止時間＝０を設定し、Ｘ単位時間経過後に再び全てのリモート局装置１〜３に対して送出停止時間として十分長い期間を設定し、その後、リモート局装置２に対して送出停止時間＝０を設定し、さらにＸ単位時間経過後に再び全てのリモート局装置１〜３に対して送出停止時間として十分長い期間を設定する。
【０１４４】
ここで、特定のリモート局装置３に対して長い期間送信が許可されない場合には初めに設定した十分長い期間の送信停止が失効し、フレーム転送を開始することによって、他のリモート局装置１，２とのフレーム衝突を防ぐために、ある一定周期（最大単位時間よりも小さい周期）毎に全てのリモート局装置１〜３に対して送信停止時間を十分長い期間に設定する。これによって、時刻０〜時刻Ｘの間にリモート局装置１に対して、時刻Ｘから時刻２Ｘの間にリモート局装置２に対してそれぞれ送信を許可することができる。
【０１４５】
このような方法によって、帯域割当機能５０での帯域の割り当てを反映した送出停止時間が決定される。また、拡張送信停止制御フレームの送出タイミングが下りの主信号フレームの送出中となる場合には拡張送信停止制御フレームの送出を前倒しして、下り主信号フレームの切れ目に送ることもできる。そのような場合には前倒しした時間をフレーム処理経過時間として決定する。
【０１４６】
各リモート局装置１〜３への送出停止時間を決定した送出停止時間決定回路４８１はその結果をアドレス付加回路４８３に転送する。アドレス付加回路４８３はＤＡフィールドＡ１、またはＤＡフィールドＡ１及びＩＤＡフィールドＢ２に宛先アドレスを記述してフレーム分類付加回路４８４に転送する。フレーム分類付加回路４８４ではＴｙｐｅフィールドＡ３にＭＡＣ制御フレームを示す識別子を記述し、その結果をフレーム属性付加回路４８５に転送する。
【０１４７】
フレーム属性付加回路４８５はＣｏｄｅフィールドＢ１、またはＣｏｄｅフィールドＢ１及びＦｌａｇフィールドＣ１に送信停止制御フレーム、拡張送信停止制御フレーム、また拡張送信停止制御フレームである場合には主信号、Ｒｅｑｕｅｓｔ、Ｒａｎｇｉｎｇ等のデータ種別を記述し、停止時間付加回路４８６に転送する。
【０１４８】
停止時間付加回路４８６は送出停止時間決定回路４８１で決定した送出停止時間及び送出停止開始時間をＰａｕｓｅ＿ｔｉｍｅフィールドＡ５、または第１のＰａｕｓｅ＿ｔｉｍｅフィールドＡ５及び第２のＰａｕｓｅ＿ｔｉｍｅフィールドＥ３と第１のＯｆｆｓｅｔフィールドＥ１及び第２のＯｆｆｓｅｔフィールドＥ２とに記述する。また、フレーム処理経過時間が送出停止時間決定回路４８１において計算されている場合には、その値をＦ＿ＯｆｆｓｅｔフィールドＨ１に記述する。その後、停止時間付加回路４８６はその結果をデータ長調整部付加回路４８７に転送する。
【０１４９】
データ長調整部付加回路４８７はフレーム長がイーサネット（Ｒ）フレームの最小サイズ以上となるようにＰａｄｄｉｎｇし、誤り訂正部付加回路４８８において誤り訂正部を付加して、送信停止制御フレームまたは拡張送信停止制御フレームを完成させる。完成した送信停止制御フレームまたは拡張送信停止制御フレームは送信回路４８９に転送され、送信回路４８９はＭｕｘ機能４７に転送する。
【０１５０】
拡張送信停止制御フレーム生成機能４８を上記のような構成とすることによって、上述したような本発明の機能を有する拡張送信停止制御フレームを生成することができる。
【０１５１】
拡張送信停止制御フレーム生成機能４８において生成された拡張送信停止制御フレームはＭｕｘ機能４７においてアドレスフィルタ機能４３からのフレームと多重化され、各々のリモート局装置１〜３に転送される。
【０１５２】
リモート局装置１〜３ではＤｅｍｕｘ機能１７において拡張送信停止制御フレームが分離され、拡張送信停止制御フレーム解析機能１８に通知される。拡張送信停止制御フレーム解析機能１８は受信した拡張送信停止制御フレームの内容に基づき、バッファ機能１４からのフレームの送出を制御する。
【０１５３】
図１６は図１の拡張送信停止制御フレーム解析機能１８の構成を示すブロック図である。図１６において、拡張送信停止制御フレーム解析機能１８はアドレス処理回路１８１と、データ種別処理回路１８２と、送出停止時間処理回路１８３と、送信回路１８４とから構成されている。
【０１５４】
Ｄｅｍｕｘ機能１７から拡張送信停止制御フレームを受信したアドレス処理回路１８１はＩＤＡフィールドＢ２の記述されたアドレスによって、自装置のアドレスか否かを判定する（拡張送信停止制御フレームが図３、図５、図８、図９に示す場合）。アドレス処理回路１８１は自装置宛てであれば、そのフレームをデータ種別処理回路１８２に転送し、他装置宛てであれば、そのフレームを廃棄する。
【０１５５】
データを受信したデータ種別処理回路１８２はＴｙｐｅフィールドＡ３において、フレームがＭＡＣ制御用フレームであることを認識し、ＣｏｄｅフィールドＢ１またはＣｏｄｅフィールドＢ１及びＦｌａｇフィールドＣ１の組み合わせによって、送信停止制御フレーム、拡張送信停止制御フレーム、また拡張送信停止制御フレームである場合に主信号、Ｒｅｑｕｅｓｔ、Ｒａｎｇｉｎｇ等のデータ種別を確認し、フレームを送出停止時間処理回路１８３に転送する。
【０１５６】
送出停止時間処理回路１８３はＰａｕｓｅ＿ｔｉｍｅフィールドＡ５、または第１のＰａｕｓｅ＿ｔｉｍｅフィールドＡ５及び第２のＰａｕｓｅ＿ｔｉｍｅフィールドＥ３と第１のＯｆｆｓｅｔフィールドＥ１及び第２のＯｆｆｓｅｔフィールドＥ２との組み合わせによって、送出停止時間、または送出停止時間及び送出停止開始時間を認識する。
【０１５７】
送出停止時間処理回路１８３は送出停止開始時間から送出停止時間の間、送信回路１８４を介してバッファ機能１４に対してフレームの送出を停止する指示を送る。また、拡張送信停止制御フレームＨ内にＦ＿ＯｆｆｓｅｔフィールドＨ１が存在し、フレーム処理開始時間が記述されている場合には、記述された時間が経過した後に、第１のＰａｕｓｅ＿ｔｉｍｅフィールドＡ５及び第２のＰａｕｓｅ＿ｔｉｍｅフィールドＥ３と、第１のＯｆｆｓｅｔフィールドＥ１及び第２のＯｆｆｓｅｔフィールドＥ２との処理を行う。
【０１５８】
このような構成を持つ基地局装置４とリモート局装置１〜３とが上述した動作を行うことによって、拡張送信停止制御フレームを生成し、それに基づくフレーム送出制御を行うことが可能となる。
【０１５９】
図１７は本発明の他の実施例によるＥＰＯＮシステムの構成を示すブロック図である。図１７においては、拡張送信停止制御フレームを通常のＭＡＣフレームに付加する場合のＥＰＯＮシステムを示している。本発明の他の実施例によるＥＰＯＮシステムは基地局装置４のＭｕｘ機能４７を削除し、リモート局装置１〜３のＤｅｍｕｘ機能１７を削除した以外は図１に示す本発明の一実施例によるＥＰＯＮシステムと同様の構成となっている。
【０１６０】
また、本発明の他の実施例によるデータ転送に関しては、下り方向が変更となる。以下、変更した部分について説明する。基地局装置４のアドレスフィルタ機能４３ではフレームのＤＡフィールドのアドレスが適合するフレームに限り、拡張送信停止制御フレーム生成機能４８に転送する。拡張送信停止制御フレーム生成機能４８では主信号系のＭＡＣフレームに拡張送信停止制御フレームの送信停止制御フィールド群Ｉ３を付加し、生成した拡張送信停止制御フレームをバッファ機能４５に転送する。
【０１６１】
図１８は図１７の拡張送信停止制御フレーム生成機能４８の構成を示すブロック図である。図１８において、拡張送信停止制御フレーム生成機能４８は制御フィールド群付加判定回路４９０を追加し、アドレス付加回路４８３及びデータ長調整部付加回路４８７を削除した以外は図１５に示す拡張送信停止制御フレーム生成機能４８と同様の構成となっている。
【０１６２】
アドレスフィルタ機能４３から転送されたＭＡＣフレームは制御フィールド群付加判定回路４９０に入力される。制御フィールド群付加判定回路４９０は送出停止時間決定回路４８１を参照して、拡張送信停止制御フレームを生成するか否かを判定する。拡張送信停止制御フレームを生成しない場合にはＭＡＣフレームが送信回路４８９に転送され、送信回路４８９によってＭＡＣフレームがバッファ機能４５に転送される。
【０１６３】
一方、生成する場合にはＭＡＣフレームがフレーム分類付加回路４８４に転送され、それ以降の各回路において送信停止制御フィールド群Ｉ３を元のＭＡＣフレームのＴｙｐｅフィールドＡ３の前部分に付加する。フレーム分類付加回路４８４に入力されたＭＡＣフレームは、拡張ＴｙｐｅフィールドＩ１にハイブリッドモードであることを示す識別子が記述され、フレーム属性付加回路４８５に転送される。フレーム属性付加回路４８５及び停止時間付加回路４８６では図１３に示す拡張送信停止制御フレーム生成機能４８と同様の処理が行われ、誤り訂正部付加回路４８８において新たな誤り訂正部が付加された拡張送信停止制御フレームは送信回路４８９に転送され、送信回路４８９からバッファ機能４５に転送される。
【０１６４】
バッファ機能４５に転送された拡張送信停止制御フレームは送受信機能４０、ファイバ１０３、パッシブ信号合流／分離器９、ファイバ１００〜１０２を経由して各々のリモート局装置１〜３に転送される。リモート局装置１〜３に転送された拡張送信停止制御フレームは送受信機能１１及びアドレスフィルタ機能１３を経て、バッファ機能１５に一時蓄積され、拡張送信停止制御フレーム解析機能１８に転送される。拡張送信停止制御フレーム解析機能１８は拡張送信停止制御フレームの内容を解析する。その後、送信停止制御フィールド群Ｉ３を削除し、拡張送信停止制御フレームを通常のＭＡＣフレームに戻した後に送受信機能１０に転送する。
【０１６５】
図１９は図１７の拡張送信停止制御フレーム解析機能１８の構成を示すブロック図である。図１９において、拡張送信停止制御フレーム解析機能１８は制御フィールド群削除回路１８５を追加した以外は図１６に示す拡張送信停止制御フレーム解析機能１８と同様の構成となっている。
【０１６６】
バッファ機能１５から転送された拡張送信停止制御フレームはアドレス処理回路１８１を経て、データ種別処理回路１８２に入力される。データ種別処理回路１８２では拡張ＴｙｐｅフィールドＩ１の識別子が通常のＭＡＣフレームである場合、フレームが送信回路１８４に転送される。一方、拡張ＴｙｐｅフィールドＩ１の識別子がハイブリッドモードである場合には、データ種別処理回路１８２と停止時間処理回路１８３とにおいて送信停止制御フィールド群Ｉ３の内容に従って処理が行われ、送信停止に関する処理の内容が送信回路１８４に通知され、制御フレームが制御フィールド群削除回路１８５に転送される。
【０１６７】
制御フレーム削除回路１８５では転送された拡張送信停止制御フレームの送信停止制御フレーム群Ｉ３を削除し、ＳＡフィールドＡ２に続いてＴｙｐｅフィールドＡ３が配置する通常のＭＡＣフレームに復元する。復元されたＭＡＣフレームは送信回路１８４に転送される。送信回路１８４は受信したＭＡＣフレームを送受信機能１０に転送する。送受信機能１０は受信したフレームをクライアント装置５に対して送信する。
【０１６８】
このような構成を持つ基地局装置４とリモート局装置１〜３とが上述した動作を行うことによって、拡張送信停止制御フレームを生成し、それに基づくフレーム送出制御を行うことが可能となる。
【０１６９】
上記のように、本発明の制御フレーム及びフレーム送出制御方法によると、各リモート局装置１〜３から送出されるフレームが共有する伝送路上で衝突することなく、そのフレームを基地局装置４に転送することができる。すなわち、本発明の制御フレームではＤＡフィールドまたはＩＤＡフィールドに記述されるアドレスによって制御フレームの宛先となるリモート局装置１〜３を特定し、リモート局装置１〜３のフレーム送出を停止することが可能である。
【０１７０】
このような制御フレームを利用する本発明のフレーム送出制御方法では、他のリモート局装置のフレーム送出を停止し、特定のリモート局装置のフレーム送出停止を解除することによって、ある特定のリモート局装置に対してフレーム送出を指示することができる。そして、この処理を各リモート局装置１〜３に対して繰り返すことによって、各々のリモート局装置１〜３のフレーム送出制御が可能となる。このように、伝送路上での衝突なく各々のリモート局装置１〜３のフレーム送出を制御することによって、ランダムアクセスする場合に比べて、上り方向のスループットを大幅に向上することができる。
【０１７１】
また、本発明の制御フレームを用いたフレーム送出制御方法では、ＣｏｄｅフィールドやＦｌａｇフィールドにおいて、本来の使用用途である輻輳制御のためのフロー制御用フレーム、または上り送出制御のための制御フレームという本制御フレームの種別を区別することができ、さらにＣｏｄｅフィールドやＦｌａｇフィールドでは主信号やＲａｎｇｉｎｇ制御用フレームや管理情報用フレーム等を記述することによって、各リモート局装置１〜３に対して送出するフレームの種類を指示することができる。これによって、上記効果に加えて、きめ細かくより柔軟なフレーム送出制御、Ｒａｎｇｉｎｇ制御等が可能となる。
【０１７２】
さらに、本発明の制御フレームを用いたフレーム送出制御方法では、第１のＰａｕｓｅ＿ｔｉｍｅフィールド、第２のＰａｕｓｅ＿ｔｉｍｅフィールド、第１のＯｆｆｓｅｔフィールド、第２のＯｆｆｓｅｔフィールドが存在するため、複数の制御フレームをまとめて送信することが可能である。これによって、上記効果に加えて、フレーム送出制御のために送出される制御フレームの数が削減することができるため、制御用帯域を削減することができ、効率を向上させることができる。
【０１７３】
さらにまた、本発明の制御フレームを用いたフレーム送出制御方法では、Ｆ＿Ｏｆｆｓｅｔフィールドで設定される調整時間を用いることによって、制御フレームの送受信タイミングと制御フレームの処理タイミングとを柔軟に制御することができるため、上記効果に加えて、効率劣化を防ぐことが可能となる。
【０１７４】
本発明の制御フレームを用いたフレーム送出制御方法では、通常のＭＡＣフレーム内にフレーム送出制御用の情報を格納することが可能なため、送出制御のための制御フレームを単独で送出する必要がない。これによって、制御用帯域を削減することができるため、上記の効果に加えて、高効率になるという効果が得られる。
【０１７５】
【発明の効果】
以上説明したように本発明は、複数のリモート局装置と１つの基地局装置とが共通媒体を介して接続され、リモート局装置から基地局装置へとデータフレームを転送し、基地局装置からリモート局装置へとデータフレームを転送する一対多共通媒体接続通信システムにおいて、基地局装置が、リモート局装置にデータフレームの送信を許可する送信許可期間を割り当て、送信許可期間の開始時刻前に複数のリモート局装置全て及び一部のうちのいずれかにデータフレームの送信を停止する送信停止制御フレームを送信し、送信許可期間の開始時刻において、データフレームの送信を許可する特定のリモート局装置にデータフレームの送信の停止を解除する送信許可制御フレームを送信することによって、各リモート局装置から送出されるフレームが共有する伝送路上で衝突することなく、そのフレームを基地局装置に転送することができるという効果が得られる。
【図面の簡単な説明】
【図１】本発明の一実施例によるＥＰＯＮシステムの構成を示すブロック図である。
【図２】本発明の一実施例による制御フレームの第１の構成例を示す図である。
【図３】本発明の一実施例による制御フレームの第２の構成例を示す図である。
【図４】本発明の一実施例による制御フレームの第３の構成例を示す図である。
【図５】本発明の一実施例による制御フレームの第４の構成例を示す図である。
【図６】本発明の一実施例による制御フレームの第５の構成例を示す図である。
【図７】（ａ），（ｂ）は図６に示す制御フレームを用いたフレーム送出法の一例を示す図である。
【図８】本発明の一実施例による制御フレームの第６の構成例を示す図である。
【図９】本発明の一実施例による制御フレームの第７の構成例を示す図である。
【図１０】（ａ），（ｂ）は図９に示す制御フレームを用いたフレーム送出法の一例を示す図である。
【図１１】本発明の一実施例による制御フレームの第８の構成例を示す図である。
【図１２】本発明の一実施例による制御フレームの第９の構成例を示す図である。
【図１３】本発明の一実施例によるＥＰＯＮシステムの動作を示すシーケンスチャートである。
【図１４】本発明の一実施例によるＥＰＯＮシステムの動作を示すシーケンスチャートである。
【図１５】図１の拡張送信停止制御フレーム生成機能の構成を示すブロック図である。
【図１６】図１の拡張送信停止制御フレーム解析機能の構成を示すブロック図である。
【図１７】本発明の他の実施例によるＥＰＯＮシステムの構成を示すブロック図である。
【図１８】図１７の拡張送信停止制御フレーム生成機能の構成を示すブロック図である。
【図１９】図１７の拡張送信停止制御フレーム解析機能の構成を示すブロック図である。
【図２０】従来のＥＰＯＮシステムの構成を示すブロック図である。
【符号の説明】
１〜３  リモート局装置
４  基地局装置
５〜７  クライアント装置
８  ローカルスイッチ
９  パッシブ信号合流／分離器
１０，１１，４０，４１  送受信機能
１２，１３，４２，４３  アドレスフィルタ機能
１４，１５，４４，４５  バッファ機能
１６，４７  Ｍｕｘ機能
１７，４６  Ｄｅｍｕｘ機能
１８  拡張送信停止制御フレーム解析機能
１９  送信停止制御フレーム生成機能
４８  拡張送信停止制御フレーム生成機能
４９  送信停止制御フレーム解析機能
５０  帯域割当機能
１００〜１０３  ファイバ
１８１  アドレス処理回路
１８２  データ種別処理回路
１８３  送出停止時間処理回路
１８４，４８９  送信回路
１８５  制御フィールド群削除回路
４８１  送出停止時間決定回路
４８２  バッファモニタ回路
４８３  アドレス付加回路
４８４  フレーム分類付加回路
４８５  フレーム属性付加回路
４８６  送出停止時間付加回路
４８７  データ長調整部付加回路
４８８  誤り訂正部付加回路
４９０  制御フィールド群付加判定回路
Ａ，Ｂ，Ｃ，Ｄ，Ｅ，Ｆ，Ｇ，
Ｈ，Ｉ  拡張送信停止制御フレーム
Ａ１  宛先アドレスフィールド
Ａ２  送信元アドレスフィールド
Ａ３  フレーム分類フィールド
Ａ４，Ｂ１  フレーム属性フィールド
Ａ５  データ送信停止期間フィールド
Ａ６  フレーム長調整フィールド
Ａ７  エラーチェックフィールド
Ａ８，Ｂ３，Ｃ２，Ｄ１，
Ｅ４，Ｆ１，Ｇ１，Ｈ２，Ｉ３  送信停止制御フィールド群
Ｂ２  個別宛先フィールド
Ｃ１  データ種別フィールド
Ｅ１  第１のＯｆｆｓｅｔフィールド
Ｅ２  第２のＯｆｆｓｅｔフィールド
Ｅ３  第２のＰａｕｓｅ＿ｔｉｍｅフィールド
Ｈ１  フレーム処理経過時間記述フィールド
Ｉ１  拡張Ｔｙｐｅフィールド
Ｉ２  Ｄａｔａフィールド
【図１】
0003594005.tif 000002
【図２】
0003594005.tif 000003
【図３】
0003594005.tif 000004
【図４】
0003594005.tif 000005
【図５】
0003594005.tif 000006
【図６】
0003594005.tif 000007
【図７】
0003594005.tif 000008
【図８】
0003594005.tif 000009
【図９】
0003594005.tif 000010
【図１０】
0003594005.tif 000011
【図１１】
0003594005.tif 000012
【図１２】
0003594005.tif 000013
【図１３】
0003594005.tif 000014
【図１４】
0003594005.tif 000015
【図１５】
0003594005.tif 000016
【図１６】
0003594005.tif 000017
【図１７】
0003594005.tif 000018
【図１８】
0003594005.tif 000019
【図１９】
0003594005.tif 000020
【図２０】
0003594005.tif 000021